(57)【要約】マルチパートラベルシステムおよびそれらを組み立てる方法、およびそれに除去可能に接着した第一ラベルおよび第二ラベルを有するキャリア部材が提供される。第一ラベルおよび第二ラベルは、キャリア部材から分配され、表面に同時に貼り付けられ、それによって、貼り付けた後、第一ラベルの下側は、表面と接触し、第二ラベルの下面は、第一ラベルの上側と接触する。
2020537764.tif 000002
【特許請求の範囲】
【請求項１】
多層ラベルを組み立てる方法であって、
ラベル分配装置を提供するステップであって、前記ラベル分配装置は、分配機構および容器を含むステップと、
キャリア部材を前記ラベル分配装置に提供するステップであって、前記キャリア部材は、その上にある第一ラベルおよび前記第一ラベルに隣接して前記キャリア部材上の位置にその上にある第二ラベルを含み、前記第一ラベルおよび前記第二ラベルは、重ならない配置で前記キャリア部材に除去可能に接着し、前記第一ラベルは、上側および反対側の下側を含み、前記下側は、前記キャリア部材に面し、前記第二ラベルは、上面および反対側の下面を含み、前記下面は、前記キャリア部材に面するステップと、
前記ラベル分配装置によって、前記第一ラベルを前記キャリア部材から前記容器上へ分配し、それによって前記第一ラベルの前記下側は、前記容器に当接して、前記第一ラベルの前記上側は、露出するステップと、
前記第一ラベルが前記容器にある間、前記ラベル分配装置によって、前記第二ラベルを前記キャリア部材から分配するステップであって、前記第二ラベルが、前記第一ラベルの上に重ねられて位置合わせされ、前記第二ラベルの前記下面は、前記第一ラベルの前記上側と接触するように、前記第二ラベルは、前記第一ラベルの上に下降するステップを含む、方法。
【請求項２】
前記第二ラベルは、置換え可能なセグメントを含み、前記第一ラベルは、除去可能領域を含み、前記第二ラベルが、前記容器上へ分配された後、前記置換え可能なセグメントと前記除去可能領域は、位置合わせされる、請求項１に記載の方法。
【請求項３】
前記下面は、接着性が低下したゾーンを含み、前記下側は、接着性が低下したエリアを含み、前記第二ラベルが、前記容器上へ分配された後、接着性が低下した前記ゾーンと接着性が低下した前記エリアは、位置合わせされる、請求項１に記載の方法。
【請求項４】
前記下面は、露出した接着剤を含む、請求項１に記載の方法。
【請求項５】
前記第二ラベルは、除去可能セグメントを含む、請求項４に記載の方法。
【請求項６】
前記第二ラベルは、置換え可能なセグメントを含む、請求項１に記載の方法。
【請求項７】
前記第二ラベルは、それを貫通する一つ以上の穴を有する、請求項１に記載の方法。
【請求項８】
前記下面は、接着性が低下したゾーンを含む、請求項１に記載の方法。
【請求項９】
第一ラベルおよび第二ラベルを表面に貼り付ける方法であって、
ラベル分配装置を提供するステップであって、前記ラベル分配装置は、分配機構および容器を含むステップと、
キャリア部材を前記ラベル分配装置に提供するステップであって、前記キャリア部材は、それに除去可能に接着する第一ラベルおよび前記第一ラベルに隣接して前記キャリア部材上の位置にそれに除去可能に接着する第二ラベルを含み、前記第一ラベルは、上側および下側を含み、前記第一ラベルは、前縁、後縁、および第一と第二の側縁に囲まれ、前記下側は、その少なくとも一部に接着剤を含み、前記下側は、前記接着剤によって前記キャリア部材に除去可能に接着し、前記第二ラベルは、上面および反対側の下面を含み、前記第二ラベルは、前縁辺、後縁辺、および第一と第二の側余白に囲まれるステップと、
前記第一ラベルを容器上へ分配し、それによって前記第一ラベルの前記下側は、前記容器に隣接して、前記上側は露出するステップと、
前記第二ラベルをラベル分配装置によって前進させるステップと、
前記第一ラベルが前記容器にある間、前記第二ラベルを前記容器の上に分配するステップであって、前記第二ラベルが、前記第一ラベルの上に重ねられて位置合わせされ、前記第二ラベルの前記下面は、前記第一ラベルの前記上側と接触するように、前記第二ラベルは、前記第一ラベルの上に下降するステップと、
前記第二ラベルおよび前記第一ラベルを表面に同時に貼り付けて、それによって、貼り付けた後、前記第一ラベルの前記下側は、前記表面と接触し、前記第二ラベルの前記下面は、前記第一ラベルの前記上側と接触して前記表面に接着するステップと、
を含む、方法。
【請求項１０】
前記第二ラベルは、置換え可能なセグメントを含み、前記第一ラベルは、除去可能領域を含み、前記第二ラベルが、前記容器の上へ分配された後、前記置換え可能なセグメントと前記除去可能領域は、位置合わせされる、請求項９に記載の方法。
【請求項１１】
前記下面は、接着性が低下したゾーンを含み、前記下側は、接着性が低下したエリアを含み、前記第二ラベルが、前記容器上へ分配された後、接着性が低下した前記ゾーンと接着性が低下した前記エリアは、位置合わせされる、請求項９に記載の方法。
【請求項１２】
前記下面は、露出した接着剤を含む、請求項９に記載の方法。
【請求項１３】
前記第二ラベルは、除去可能セグメントを含む、請求項１２に記載の方法。
【請求項１４】
前記第二ラベルは、置換え可能なセグメントを含む、請求項９に記載の方法。
【請求項１５】
前記第二ラベルは、それを貫通する一つ以上の穴を含む、請求項９に記載の方法。
【請求項１６】
前記下面は、接着性が低下したゾーンを含む、請求項９に記載の方法。
【請求項１７】
第一ラベルおよび第二ラベルを容器に貼り付ける方法であって、
キャリア部材を提供するステップであって、前記キャリア部材は、それに除去可能に接着する第一ラベルおよび前記第一ラベルに隣接して前記キャリア上の位置にそれに除去可能に接着する第二ラベルを含み、前記キャリア部材は、その表面に剥離層を含み、前記第一ラベルは、上側および反対側の下側を含み、前記上側および前記下側は、前余白、後余白、および第１と第２の側余白に囲まれ、前記上側は、第一表面積を含み、前記下側は、少なくともその一部に接着剤を含み、前記下側は、前記接着剤によって前記剥離層に除去可能に接着し、前記第二ラベルは、上面および下面を含み、前記上面および前記下面は、前縁、後縁、および第一と第二の側縁に囲まれ、前記上面は、第二表面積を含み、前記第二表面積は、前記第一表面積と少なくとも同じ大きさであり、前記下面は、少なくともその一部に接着剤を含み、前記下面は、前記接着剤によって前記剥離層に除去可能に接着するステップと、
前記第一ラベルを容器上へ分配し、それによって前記第一ラベルの前記下側は、前記容器に当接して、前記上側は露出するステップと、
前記第二ラベルを前記容器の方へ前進させるステップと、
前記第一ラベルが前記容器に当接している間、前記第二ラベルを前記容器の上に分配するステップであって、前記第二ラベルが、前記第一ラベルの上に重ねられて位置合わせされ、前記第二ラベルの前記下面は、前記第一ラベルの前記上側と接触するように、前記第二ラベルが、前記第一ラベルの上に下降するステップと、
前記第二ラベルおよび前記第一ラベルを表面に同時に貼り付けて、それによって、貼り付けた後、前記第一ラベルの前記下側は、前記表面に接着し、前記第二ラベルの前記下面は、前記表面に接着するステップを含む、方法。
【請求項１８】
前記下面は、露出した接着剤を含む、請求項１７に記載の方法。
【請求項１９】
前記第二ラベルは、除去可能セグメントを含む、請求項１８に記載の方法。
【請求項２０】
前記第二ラベルは、置換え可能なセグメントを含み、前記第一ラベルは、除去可能領域を含み、前記第二ラベルが、前記容器上へ分配された後、前記置換え可能なセグメントと前記除去可能領域は、位置合わせされる、請求項１７に記載の方法。
【発明の詳細な説明】
【背景技術】
【０００１】
印刷された認証（ｉｎｄｉｃｉａ）を固定して発送やその他の情報をパッケージに表示するために、一般的にラベルが用いられている。発送用途の場合、購入した商品を入れたパッケージ内に別のパッキングリストが同封されて、顧客に配送される。
【０００２】
自動印刷し、表面に下ラベルおよび上ラベルを貼るラベル貼付方法には、大きな需要がある。例えば、自動印刷し、密封カートンの表面にパッキングリストおよび発送ラベルを貼るラベル貼付方法には大きな需要がある。カートンはパッキングリストが生成される前に密封されるため、それを開封してパッキングリストを挿入するのは効率的ではない。そのようなパッケージの大量発送では、パッケージに迅速にパッキングリストおよび発送ラベルを添付することが必要である。発送されたパッケージが最終的な受取人に届くまで、パッキングリストの情報は秘匿されるのが好ましい。
【発明の概要】
【発明が解決しようとする課題】
【０００３】
下ラベルおよび上ラベルを表面に貼り付けるために、複雑な方法が行われてきた。例えば、パッキングリストおよび発送ラベルを密封カートンの表面に貼り付ける場合、複雑な方法が行われ、ラベルの第一ロール（パッキングリストラベル）および第一ラベルアプリケータを使用して、カートンの上にパッキングリストがパターン粘着ラベルとして貼り付けられて接着される。パッキングリストラベルが貼り付けられた後、ラベルの第二ロール（住所ラベル）および第二ラベルアプリケータを使用して、パッキングリスト情報を秘匿するために、パッキングリストラベルの上に住所ラベルが貼り付けられて接着される。このような方法は、多くの欠点を有する。例えば、パッキングリスト貼付と発送ラベル貼付の間の正確なタイミングが、２つのラベルを適切に整列配置するために、およびパッキングリストと発送ラベルの間のずれを回避するために必要である（例えば、パッキングリストが第一顧客に発送する商品を含み、発送ラベルが異なる顧客の住所を含む場合）。さらに、２台のプリンタおよび２台のラベルアプリケータが、関連するハードウェアおよびソフトウェアと共に、パッキングリストおよび発送ラベルを順に貼り付けるために必要であるので、このような方法は、かなりの床面積および投資を必要とする。
【０００４】
前述の理由により、既存の貼付方法の多くの欠点を回避すると共に、下ラベルおよび上ラベルを自動印刷して表面に貼り付ける貼付方法を提供することが望ましい。前述の理由により、既存の貼付方法の多くの欠点を回避すると共に、パッキングリストラベルおよび発送ラベルを自動印刷して密封カートンの表面に貼り付ける貼付方法を提供することが望ましい。
【課題を解決するための手段】
【０００５】
本開示は、表面に自動で貼り付けるためのラベルの少なくとも一つのシステムの開示を含む。少なくとも一つの実施形態において、本開示によるラベルシステムは、キャリア部材、上ラベル、および下ラベルを含む。少なくとも一つのそのような実施形態の上ラベルは、上面および反対側の下面を含み、上面および下面は、前縁および後縁を有し、下面は、キャリア部材と接触する。少なくとも一つのそのような実施形態の下ラベルは、上側および反対側の下側を含み、上側および下側は、前余白および後余白を有し、下側は、キャリア部材と接触する。本開示の少なくとも一つのそのような実施形態によれば、上ラベルおよび下ラベルは、後縁が前余白に隣接した状態で、隣接する位置でキャリア部材と接触し、上ラベルおよび下ラベルが、ラベルアプリケータ装置に分配されるとき、上ラベルおよび下ラベルを物品に添付する前に、下ラベルが上ラベルの下面に対して配置されるように、上ラベルおよび下ラベルは、キャリア部材からラベルアプリケータ装置に順に分配するように構成される。
【０００６】
本開示の少なくとも一つの実施形態の一態様において、上ラベルは、除去可能セグメントを含み、下ラベルは、除去可能領域を含み、上ラベルおよび下ラベルが、ラベルアプリケータ装置に分配されるとき、除去可能セグメントと除去可能領域は、位置合わせされる。
【０００７】
本開示の少なくとも一つの実施形態の一態様において、下面は接着性が低下したゾーンを含み、下側は接着性が低下したエリアを含み、上ラベルおよび下ラベルが、ラベルアプリケータ装置に分配されるとき、接着性が低下したゾーンと接着性が低下したエリアは、位置合わせされる。
【０００８】
本開示の少なくとも一つの実施形態の一態様において、接着性が低下したゾーンは、接着防止剤で覆われている接着層を含む。
【０００９】
本開示の少なくとも一つの実施形態の一態様において、接着性が低下したエリアは、接着防止剤で覆われている接着層を含む。
【００１０】
本開示の少なくとも一つの実施形態の一態様において、上ラベルは、それを貫通する一つ以上の穴を含み、上ラベルおよび下ラベルが、ラベルアプリケータ装置に分配されるとき、下ラベルは、ラベルアプリケータ装置によって発生する真空力によって、上ラベルの下面に対して適所に保持される。真空力は一つ以上の穴を通して作用する。
【００１１】
本開示の少なくとも一つの実施形態の一態様において、下側の全体は接着性が低下する。
【００１２】
本開示の少なくとも一つの実施形態の一態様において、下側の全体は接着防止剤で覆われている接着層を含む。
【００１３】
本開示の少なくとも一つの実施形態の一態様において、下面は、キャリア部材に下面を除去可能に接着する感圧接着剤を含む。
【００１４】
少なくとも一つの実施形態において、本開示によるラベルシステムは、キャリア部材、上ラベル、および下ラベルを含む。少なくとも一つのそのような実施形態の上ラベルは、キャリア部材に除去可能に接着し、上面、下面、および除去可能セグメントを含む。少なくとも一つの実施形態の上ラベルは、前縁、後縁、および第一と第二の側縁に囲まれている。少なくとも一つのそのような実施形態の上ラベルの下面は、少なくともその一部に接着剤を含み、そのような上ラベルは、接着剤によってキャリア部材に除去可能に接着する。少なくとも一つのそのような実施形態の下ラベルは、上ラベルに隣接するキャリア部材上の位置でキャリア部材に除去可能に接着し、上側および反対側の下側を含む。少なくとも一つのそのような実施形態の下ラベルは、前余白、後余白、および第一と第二の側余白に囲まれている。本開示の少なくとも一つのそのような実施形態によれば、上ラベルおよび下ラベルは、キャリア部材からラベルアプリケータ装置に順に分配するように構成されているので、上ラベルおよび下ラベルが、ラベルアプリケータ装置に分配されるとき、上面は、ラベルアプリケータ装置に対して配置され、下ラベルの上側は、上ラベルの下面に対して配置され、下側は露出する。
【００１５】
本開示の少なくとも一つの実施形態の一態様において、上ラベルの上側は、前余白、後余白、および第一と第二の側余白によって囲まれる第一表面積を含み、下ラベルの上面は、前縁、後縁、および第一と第二の側縁によって囲まれる第二表面積を含み、第二表面積は、第一表面積より大きくない。
【００１６】
少なくとも一つの実施形態において、本開示によるラベルシステムは、キャリア部材、キャリア部材上の除去可能な上ラベル、および上ラベルに隣接するキャリア部材上の位置のキャリア部材上の除去可能な下シートを含む。少なくとも一つのそのような実施形態の上ラベルは、上面および反対側の下面を含み、下面はキャリア部材に面する。少なくとも一つのそのような実施形態の下シートは、上側および反対側の下側を含み、下側はキャリア部材に面する。本開示の少なくとも一つのそのような実施形態によれば、上ラベルおよび下シートが、ラベルアプリケータ装置に分配されるとき、下シートの上側が、下面に対して配置されるように、上ラベルおよび下シートは、キャリア部材からラベルアプリケータ装置に順に分配するように構成される。
【００１７】
本開示の少なくとも一つの実施形態の一態様において、上ラベルは、除去可能セグメントを含み、下シートは、除去可能領域を含み、下シートが、ラベルアプリケータ装置に分配されるとき、除去可能セグメントと除去可能領域は、位置合わせされる。
【００１８】
本開示の少なくとも一つの実施形態の一態様において、上ラベルの下面は、接着性が低下したゾーンを含み、下シートの下側は、接着性が低下したエリアを含み、下シートが、ラベルアプリケータ装置に分配されるとき、接着性が低下したゾーンと接着性が低下したエリアは、位置合わせされる。
【００１９】
本開示の少なくとも一つの実施形態の一態様において、接着性が低下したゾーンは、接着防止剤で覆われている接着層を含む。
【００２０】
本開示の少なくとも一つの実施形態の一態様において、接着性が低下したエリアは、接着防止剤で覆われている接着層を含む。
【００２１】
本開示の少なくとも一つの実施形態の一態様において、上ラベルは、それを貫通する一つ以上の穴を含み、下シートは、ラベルアプリケータ装置によって発生する真空力によって、上ラベルの下面に対して適所に保持される。真空力は、一つ以上の穴を通して作用する。
【００２２】
本開示の少なくとも一つの実施形態の一態様において、下シートは、ラベルアプリケータ装置によって発生する真空力によって、上ラベルの下面に対して適所に保持される。
【００２３】
本開示の少なくとも一つの実施形態の一態様において、下シートの下側の全体は、接着性が低下する。
【００２４】
本開示の少なくとも一つの実施形態の一態様において、下シートの下側の全体は、接着防止剤で覆われている接着層を含む。
【００２５】
本開示の少なくとも一つの実施形態の一態様において、上ラベルの下面は、接着剤を含み、下シートが、ラベルアプリケータ装置に分配されるとき、下面上の接着剤は、下シートの上側と接着によって相互作用する。
【００２６】
少なくとも一つの実施形態において、本開示は、多層ラベルを組み立てる方法の開示を含む。方法は、ラベル分配装置を提供するステップであって、ラベル分配装置は分配機構および容器を含むステップと、キャリア部材をラベル分配装置に提供するステップであって、キャリア部材は、その上にある第一ラベルおよび第一ラベルに隣接してキャリア部材上の位置でその上にある第二ラベルを含み、第一ラベルおよび第二ラベルは、重ならない配置でキャリア部材に除去可能に接着し、第一ラベルは、上側および反対側の下側を含み、下側はキャリア部材に面し、第二ラベルは、上面および反対側の下面を含み、下面はキャリア部材に面するステップと、ラベル分配装置によって、第一ラベルをキャリア部材から容器に分配するステップであって、それによって、第一ラベルの下側は容器に当接して、第一ラベルの上側は露出するステップと、第一ラベルが容器の上にある間、ラベル分配装置によって、第二ラベルをキャリア部材から分配するステップであって、第二ラベルが、第一ラベルの上に重ねられて位置合わせされ、第二ラベルの下面が、第一ラベルの上側と接触するように、第二ラベルが、第一ラベルの上に下降するステップを含む。
【００２７】
本開示の少なくとも一つの実施形態の一態様において、第二ラベルは、置換え可能なセグメントを含み、第一ラベルは、除去可能領域を含み、第二ラベルが容器に分配された後、置換え可能なセグメントと除去可能領域は、位置合わせされる。
【００２８】
本開示の少なくとも一つの実施形態の一態様において、下面は接着性が低下したゾーンを含み、下側は接着性が低下したエリアを含み、第二ラベルが容器に分配された後、接着性が低下したゾーンと接着性が低下したエリアは、位置合わせされる。
【００２９】
本開示の少なくとも一つの実施形態の一態様において、下面は露出した接着剤を含む。
【００３０】
本開示の少なくとも一つの実施形態の一態様において、第二ラベルは除去可能セグメントを含む。
【００３１】
本開示の少なくとも一つの実施形態の一態様において、第二ラベルはそれを貫通する一つ以上の穴を含む。
【００３２】
少なくとも一つの実施形態において、本開示は、第一ラベルおよび第二ラベルを表面に貼り付ける方法の開示を含む。方法は、ラベル分配装置を提供するステップであって、ラベル分配装置は分配機構および容器を含むステップと、キャリア部材をラベル分配装置に提供するステップであって、キャリア部材は、それに除去可能に接着した第一ラベルおよび第一ラベルに隣接してキャリア部材上の位置でそれに除去可能に接着した第二ラベルを含み、第一ラベルは、上側および下側を含み、第一ラベルは、前縁、後縁、および第一と第二の側縁に囲まれ、下側は、少なくともその一部に接着剤を含み、下側は、接着剤によってキャリア部材に除去可能に接着し、第二ラベルは、上側および反対側の下面を含み、第二ラベルは、前余白、後余白、および第一と第二の側余白に囲まれるステップと、第一ラベルを容器に分配するステップであって、それによって第一ラベルの下側は容器に隣接し、上側は露出するステップと、第二ラベルをラベル分配装置で前進させるステップと、第一ラベルが容器の上にある間、第二ラベルを容器に分配するステップであって、第二ラベルが、第一ラベルの上に重ねられて位置合わせされ、第二ラベルの下面が、第一ラベルの上側と接触するように、第二ラベルが、第一ラベルの上に下降するステップと、第二ラベルおよび第一ラベルを表面に同時に貼り付けるステップであって、それによって、貼り付けた後、第一ラベルの下側は、表面と接触し、第二ラベルの下面は、第一ラベルの上側と接触して表面に接着するステップを含む。
【００３３】
本開示の少なくとも一つの実施形態の一態様において、第二ラベルは、置換え可能なセグメントを含み、第一ラベルは、除去可能領域を含み、第二ラベルが容器に分配された後、置換え可能なセグメントと除去可能領域は、位置合わせされる。
【００３４】
少なくとも一つの実施形態において、本開示は、第一ラベルおよび第二ラベルを容器に貼り付ける方法の開示を含む。方法は、キャリア部材を提供するステップであって、キャリア部材は、それに除去可能に接着する第一ラベルおよび第一ラベルに隣接するキャリア上の位置でそれに除去可能に接着する第二ラベルを含み、キャリア部材は、その表面上に剥離層を含み、第一ラベルは、上側および反対側の下側を含み、上側および下側は、前余白、後余白、および第一と第二の側余白に囲まれ、上側は第一表面積を含み、下側は少なくともその一部に接着剤を含み、下側は、接着剤によって剥離層に除去可能に接着し、第二ラベルは、上面および下面を含み、上面および下面は、前縁、後縁、および第一と第二の側縁に囲まれ、上面は第二表面積を含み、第二表面積は、少なくとも第一表面積と同じ大きさであり、下面は少なくともその一部に接着剤を含み、下面は接着剤によって剥離層に除去可能に接着するステップと、第二ラベルを容器に分配するステップであって、それによって第一ラベルの下面は容器に当接して、上面は露出するステップと、第二ラベルを容器の方へ前進させるステップと、第一ラベルが容器に当接している間、第二ラベルを容器に分配するステップであって、第二ラベルが、第一ラベルの上に重ねられて位置合わせされ、第二ラベルの下面が、第一ラベルの上側と接触するように、第二ラベルが第一ラベルの上に下降するステップと、第二ラベルおよび第一ラベルを表面に同時に貼り付けるステップであって、それによって、貼り付けた後、第一ラベルの下側は表面に接着し、第二ラベルの下面は、表面に接着するステップを含む。
【図面の簡単な説明】
【００３５】
本開示の特徴および利点ならびにそれらを達成する方法は、添付の図面と併せて、後述の開示される方法とシステムの以下の説明を参照することによって、より明確になりよりよく理解できる。
【図１】図１は、本開示の少なくとも一つの実施形態によるマルチパート上下ラベルシステムを示す。
【図２】図２は、本開示の少なくとも一つの実施形態による下ラベルの下側および上ラベルの下面を示す。
【図３Ａ】図３Ａは、本開示の少なくとも一つの実施形態によるマルチパート上下ラベルシステムの断面図を示す。
【図３Ｂ】図３Ｂは、本開示の少なくとも一つの実施形態によるマルチパート上下ラベルシステムの断面図を示す。
【図４Ａ−Ｂ】図４Ａ〜Ｂは、本開示の少なくとも一つの実施形態によるマルチパート上下ラベルシステムの側面図を示す。
【図５】図５は、本開示の少なくとも一つの実施形態による上ラベルおよび下ラベルがその上に分配された後のラベルアプリケータの下側を示す。
【図６】図６は、本開示の少なくとも一つの実施形態による上ラベルおよび下ラベルの容器の表面への貼り付けの側面図を示す。
【図７】図７は、容器の表面に接着した本開示の少なくとも一つの実施形態による上ラベルおよび下ラベルを示す。
【図８Ａ−Ｂ】図８Ａ〜Ｂは、本開示の少なくとも一つの実施形態によるマルチパート上下ラベルシステムの実施形態を示す。
【図９Ａ】図９Ａは、本開示の少なくとも一つの実施形態によるマルチパート上下ラベルシステムを示す。
【図９Ｂ】図９Ｂは、本開示の少なくとも一つの実施形態によるマルチパート上下ラベルシステムを示す。
【図１０Ａ】図１０Ａは、本開示の少なくとも一つの実施形態による下ラベルの下側および上ラベルの下面を示す。
【図１０Ｂ】図１０Ｂは、本開示の少なくとも一つの実施形態による下ラベルの下側および上ラベルの下面を示す。
【図１１Ａ】図１１Ａは、本開示の少なくとも一つの実施形態によるマルチパート上下ラベルシステムの断面図を示す。
【図１１Ｂ】図１１Ｂは、本開示の少なくとも一つの実施形態によるマルチパート上下ラベルシステムの断面図を示す。
【図１２Ａ−Ｂ】図１２Ａ〜Ｂは、本開示の少なくとも一つの実施形態によるマルチパート上下ラベルシステムの側面図を示す。
【図１３】図１３は、本開示の少なくとも一つの実施形態による上ラベルおよび下ラベルがその上に分配された後のラベルアプリケータの下側を示す。
【図１４】図１４は、本開示の少なくとも一つの実施形態による上ラベルおよび下ラベルの容器の表面への貼り付けの側面図を示す。
【図１５】図１５は、容器の表面に接着した本開示の少なくとも一つの実施形態による上ラベルおよび下ラベルを示す。
【図１６Ａ−Ｂ】図１６Ａ〜Ｂは、本開示の少なくとも一つの実施形態によるマルチパート上下ラベルシステムを示す。
【図１７】図１７は、本開示の少なくとも一つの実施形態によるマルチパート上下ラベルシステムを示す。
【図１８】図１８は、本開示の少なくとも一つの実施形態による下ラベルの下側および上ラベルの下面を示す。
【図１９Ａ】図１９Ａは、本開示の少なくとも一つの実施形態によるマルチパート上下ラベルシステムの断面図を示す。
【図１９Ｂ】図１９Ｂは、本開示の少なくとも一つの実施形態によるマルチパート上下ラベルシステムの断面図を示す。
【図２０】図２０は、本開示の少なくとも一つの実施形態によるマルチパート上下ラベルシステムを示す。
【図２１】図２１は、本開示の少なくとも一つの実施形態による下ラベルの下側および上ラベルの下面を示す。
【図２２Ａ】図２２Ａは、本開示の少なくとも一つの実施形態によるマルチパート上下ラベルシステムの断面図を示す。
【図２２Ｂ】図２２Ｂは、本開示の少なくとも一つの実施形態によるマルチパート上下ラベルシステムの断面図を示す。
【図２３】図２３は、本開示の少なくとも一つの実施形態によるマルチパート上下ラベルシステムを示す。
【図２４】図２４は、本開示の少なくとも一つの実施形態による下ラベルの下側および上ラベルの下面を示す。
【図２５Ａ】図２５Ａは、本開示の少なくとも一つの実施形態によるマルチパート上下ラベルシステムの断面図を示す。
【図２５Ｂ】図２５Ｂは、本開示の少なくとも一つの実施形態によるマルチパート上下ラベルシステムの断面図を示す。
【図２６】図２６は、本開示の少なくとも一つの実施形態によるマルチパート上下ラベルシステムを示す。
【図２７】図２７は、本開示の少なくとも一つの実施形態による下ラベルの下側および上ラベルの下面を示す。
【図２８】図２８は、本開示の少なくとも一つの実施形態によるマルチパート上下ラベルシステムの断面図を示す。
【図２９】図２９は、本開示の少なくとも一つの実施形態によるマルチパート上下ラベルシステムを示す。
【図３０】図３０は、本開示の少なくとも一つの実施形態による下ラベルの下側および上ラベルの下面を示す。
【図３１】図３１は、本開示の少なくとも一つの実施形態によるマルチパート上下ラベルシステムを示す。
【図３２】図３２は、本開示の少なくとも一つの実施形態による下ラベルの下側および上ラベルの下面を示す。
【図３３】図３３は、本開示の少なくとも一つの実施形態によるマルチパート上下ラベルシステムの断面図を示す。
【図３４】図３４は、本開示の少なくとも一つの実施形態によるマルチパート上下ラベルシステムを示す。
【図３５】図３５は、本開示の少なくとも一つの実施形態による下ラベルの下側および上ラベルの下面を示す。
【図３６】図３６は、本開示の少なくとも一つの実施形態による表面への今後の貼り付けのためにラベルプリンタからトレイに分配される２枚のラベルを示す。
【図３７】図３７は、本開示の少なくとも一つの実施形態によるマルチパート上下ラベルシステムを示す。
【図３８】図３８は、本開示の少なくとも一つの実施形態による下ラベルの下側および上ラベルの下面を示す。
【図３９】図３９は、本開示の少なくとも一つの実施形態によるマルチパート上下ラベルシステムの断面図を示す。
【図４０】図４０は、本開示の少なくとも一つの実施形態によるマルチパート上下ラベルシステムを示す。
【図４１】図４１は、本開示の少なくとも一つの実施形態による下ラベルの下側および上ラベルの下面を示す。
【図４２】図４２は、本開示の少なくとも一つの実施形態によるマルチパート上下ラベルシステムを示す。
【図４３】図４３は、本開示の少なくとも一つの実施形態による下ラベルの下側および上ラベルの下面を示す。
【図４４】図４４は、本開示の少なくとも一つの実施形態によるマルチパート上下ラベルシステムの断面図を示す。
【図４５】図４５は、本開示の少なくとも一つの実施形態によるマルチパート上下ラベルシステムを示す。
【図４６】図４６は、本開示の少なくとも一つの実施形態による下ラベルの下側および上ラベルの下面を示す。
【図４７】図４７は、本開示の少なくとも一つの実施形態による、表面への今後の貼り付けのためにラベルプリンタからトレイに分配される２枚のラベルを示す。
【発明を実施するための形態】
【００３６】
図に描かれた実施形態は本開示の原理の理解を深める目的で言及されており、同様の目的で特定の専門用語が用いられている。それにもかかわらず、それによって本開示の範囲を制限する意図はないと理解されるべきである。
【００３７】
図１は、本開示の少なくとも一つの実施形態によるマルチパート上下ラベルシステム１０を示す。下ラベル１４および上ラベル１６が図１に示される。本開示によるマルチパート上下ラベルシステムの少なくとも一つの実施形態において、複数の下ラベル１４および上ラベル１６は、キャリア１２上に交互に存在する。本開示によるマルチパート上下ラベルシステム１０の少なくとも一つの実施形態において、各下ラベル１４は、パッキングリストラベルを含み、各上ラベル１６は発送ラベルを含む。
【００３８】
本開示によるマルチパート上下ラベルシステムの少なくとも一つの実施形態によれば、下ラベル１４は、前縁１８、後縁２２、および側縁２０と２４に囲まれている。一つ以上の弱線３６は、除去可能領域４４の境界を定める。下ラベル１４がパッキングリストラベルを含む本開示の少なくとも一つの実施形態において、除去可能領域４４は、除去可能パッキングリストを含む。フレーム４０は、弱線３６と前縁１８、後縁２２、および側縁２０と２４の間に存在する。
【００３９】
本開示によるマルチパート上下ラベルシステムの少なくとも一つの実施形態によれば、上ラベル１６は、前縁２６、後縁３０、および側縁２８と３２に囲まれている。一つ以上の弱線３８は、除去可能セグメント４６の境界を定める。フレーム４２は、弱線３８と前縁２６、後縁３０、および側縁２８と３２との間にある。
【００４０】
本開示によるマルチパート上下ラベルシステムの少なくとも一つの実施形態によれば、前縁１８、後縁２２、および側縁２０と２４に囲まれている下ラベル１４のエリアは、前縁２６、後縁３０、および側縁２８と３２に囲まれている上ラベル１６のエリアより大きい。本開示によるマルチパート上下ラベルシステムの少なくとも一つの実施形態によれば、除去可能領域４４のエリアは、除去可能セグメント４６のエリアより大きくない。
【００４１】
本開示によるマルチパート上下ラベルシステムの少なくとも一つの実施形態によれば、上ラベル１６および下ラベル１４は、キャリア１２上に互いに隣接して配置され、キャリア１２に除去可能に接着し、それによって上ラベル１６および下ラベル１４が、本願明細書で述べるように順にキャリア１２から分配されることを可能にする。キャリア１２は、少なくとも一つの実施形態において、下ラベル１４および上ラベル１６の下面に面するキャリア１２の表面に剥離層１５を含む。本開示の少なくとも一つの実施形態において、剥離層１５は、シリコーン剥離層である。本開示によるラベルシステム１０の少なくとも一つの実施形態によれば、以下に説明するように、接着剤１３は、剥離層１５と下ラベル１４の下側、剥離層１５と上ラベル１６の下面の間に配置される。本開示の少なくとも一つの実施形態において、接着剤１３は感圧接着剤である。
【００４２】
本開示によるマルチパート上下ラベルシステムの少なくとも一つの実施形態において、キャリア１２は、横ストライプ３４を含む。横ストライプ３４は、キャリア１２の残りの部分の色と異なるキャリア１２の領域の色または濃淡を含む。少なくとも一つの実施形態において、横ストライプ３４は、各上ラベル１６の後であって、隣接する下ラベル１４の前に置かれる。少なくとも一つの実施形態において、横ストライプ３４は、各上ラベル１６の後縁３０および各下ラベル１４の前縁１８に重なる。
【００４３】
本開示によるマルチパート上下ラベルシステムの少なくとも一つの実施形態において、一つ以上の横ストライプ３４は、上ラベル１６および隣接する下ラベル１４の分配を同期させる目的で検出装置と連動して使用される。
【００４４】
図２は、本開示によるマルチパート上下ラベルシステムの少なくとも一つの実施形態による下ラベル１４の下側および上ラベル１６の下面を示しているが、キャリア１２は、明確にする目的で視認できない。前縁１８、後縁２２、および側縁２０と２４に囲まれている下ラベル１４の下側１０１４が、図２に示される。また、前縁２６、後縁３０、および側縁２８と３２に囲まれている上ラベル１６の下面１０１６が、図２に示される。
【００４５】
少なくとも一つの実施形態において、下ラベル１４の下側１０１４は、弱線３６により分離される第一部分１０４０および第二部分１０４４を含む。第一部分１０４０は、フレーム４０の下側を含む。第二部分１０４４は、除去可能領域４４の下側を含む。少なくとも一つの実施形態において、第一部分１０４０は、その表面積の全部または実質的に全部または大部分に接着剤１３を含む。少なくとも一つの実施形態において、第二部分１０４４は、接着剤を含まないかまたは実質的に含まない。少なくとも一つの実施形態において、第二部分１０４４は、その表面積の全部または実質的に全部または大部分に接着剤１３を含むが、例えば、非接着性ワニスのような接着防止剤１７は、それらのエリアで接着剤１３を覆い、それによって接着剤１３はそれらのエリアにおいて効果がなくなる。本開示の少なくとも一つの実施形態において、接着防止剤１７は、接着防止剤１７により処理されるそれらのエリアにおいて接着剤１３が完全に効果がなくならないように選択される。そのような実施形態において、接着防止剤１７による接着剤１３の処理の後、処理されたエリアは、わずかな粘着性を保持する。
【００４６】
本開示の少なくとも一つの実施形態において、上ラベル１６の下面１０１６は、弱線３８により分離される第一部分１０４２および第二部分１０４６を含む。第一部分１０４２は、フレーム４２の下面を含む。第二部分１０４６は、除去可能セグメント４６の下面を含む。少なくとも一つの実施形態において、第一部分１０４２は、その表面積の全部または実質的に全部または大部分に接着剤１３を含む。少なくとも一つの実施形態において、第二部分１０４６は、接着剤を含まないかまたは実質的に含まない。少なくとも一つの実施形態において、第二部分１０４６は、その表面積の全部または実質的に全部または大部分に接着剤１３を含むが、それによって、例えば、非接着性ワニスのような接着防止剤１７は、それらのエリアで接着剤１３を覆い、接着剤１３はそれらのエリアにおいて効果がなくなる。本開示の少なくとも一つの実施形態において、接着防止剤１７は、接着防止剤１７により処理されるそれらのエリアにおいて接着剤１３が完全に効果がなくならないように選択される。そのような実施形態において、接着防止剤１７による接着剤１３の処理の後、処理されたエリアはわずかな粘着性を保持する。
【００４７】
図３Ａは、図１における線ＩＩＩーＩＩＩに沿った本開示の少なくとも一つの実施形態によるマルチパート上下ラベルシステムの断面図を示す。マルチパート上下ラベルシステムが、明確にするために半分解状態で図３Ａに示される。キャリア１２、接着剤１３、前縁１８および後縁２２を含む下ラベル１４、剥離層１５、ならびに前縁２６および後縁３０を含む上ラベル１６が、図３Ａに示される。本開示によるマルチパート上下ラベルシステムのこの実施形態に示すように、第二部分１０４４および第二部分１０４６は、接着剤１３を含まない。
【００４８】
図３Ｂは、図１における線ＩＩＩーＩＩＩに沿った本開示の少なくとも一つの実施形態によるマルチパート上下ラベルシステムの断面図を示す。マルチパート上下ラベルシステムが、明確にするために半分解状態で図３Ｂに示される。キャリア１２、接着剤１３、前縁１８および後縁２２を含む下ラベル１４、剥離層１５、前縁２６および後縁３０を含む上ラベル１６、ならびに接着防止剤１７が、図３Ｂに示される。本開示によるマルチパート上下ラベルシステムのこの実施形態に示すように、第二部分１０４４は、その表面積の全部または実質的に全部または大部分に接着剤１３を含むが、例えば、非接着性ワニスのような接着防止剤１７は、それらのエリアで接着剤１３を覆う。第二部分１０４６も、その表面積の全部または実質的に全部または大部分に接着剤１３を含むが、例えば、非接着性ワニスのような接着防止剤１７は、それらのエリアで接着剤１３を覆う。
【００４９】
図４Ａ〜Ｂは、使用中の本開示の少なくとも一つの実施形態によるマルチパート上下ラベルシステムの側面図を示す。図４Ａに示すように、上ラベル１６および下ラベル１４をその上に有するキャリア１２は、方向５０８に前進する。キャリア１２は、部材５０２周辺に送られて、上ラベル１６を前縁２６を先にしてキャリア１２から分配する。上ラベル１６の下面１０１６の少なくとも一部は、それがキャリア１２から分配された後、接着剤１３を含む。上ラベル１６が、キャリア１２から分配されると、上ラベル１６は、ラベルアプリケータ５００の下を通過する。ラベルアプリケータ５００によって発生する力５０４によって上ラベル１６は、スクリーン５０６に対して持ち上げられて、保持される。スクリーン５０６は、ラベルアプリケータ５００の下面を形成する。本開示の少なくとも一つの実施形態において、力５０４は真空力である。本開示の少なくとも一つの実施形態において、力５０４は静電力である。
【００５０】
ここで図４Ｂを参照すると、上ラベル１６が、キャリア１２から分配された後、下ラベル１４をその上に有するキャリア１２は、方向５０８に前進する。キャリア１２は、部材５０２周辺に送られて、下ラベル１４を前縁１８を先にしてキャリア１２から分配する。下ラベル１４の下側１０１４の少なくとも一部は、それがキャリア１２から分配された後、接着剤１３を含む。下ラベル１４が、キャリア１２から分配されると、下ラベル１４は、ラベルアプリケータ５００の下を通過する。ラベルアプリケータ５００によって発生する力５０４によって下ラベル１４は、上ラベル１６に対して持ち上げられて、保持されて、位置合わせされる。本開示によるマルチパート上下ラベルシステムのそのような実施形態において、下ラベル１４のエリアが、上ラベル１６のエリアより大きいので、力５０４は、下ラベル１４の縁に作用して、スクリーン５０６に対して下ラベル１４を保持する。下面１０１６は、接着剤１３によって下ラベル１４に接着し始める。
【００５１】
本開示によるマルチパート上下ラベルシステムの少なくとも一つの実施形態において、上ラベル１６がキャリア１２から分配される前に、認証は、上ラベル１６に印刷されるかまたは貼り付けられる。上ラベル１６が発送ラベルである本開示による貼り付けられる上下ラベルシステムの実施形態において、例えば、宛先アドレスおよび／または他の関連する発送認証のような認証は、上ラベル１６に印刷するかまたは貼り付けることができる。
【００５２】
本開示によるマルチパート上下ラベルシステムの少なくとも一つの実施形態において、下ラベル１４がキャリア１２から分配される前に、認証は、下ラベル１４に印刷されるかまたは貼り付けられる。下ラベル１４がパッキングリストラベルである本開示による貼り付けられる上下ラベルシステムの実施形態において、例えば、容器の内容および／または他のパッキングリスト認証のような認証は、下ラベル１４に印刷するかまたは貼り付けることができる。
【００５３】
少なくとも一つの実施形態において、ラベルアプリケータ５００は、例えば、熱転写式プリンタまたは直接感熱式プリンタのような印刷機能を有する。そのような実施形態において、認証は、ラベルアプリケータ５００によって上ラベル１６および／または下ラベル１４に貼り付けることができる。
【００５４】
図５は、本開示によるマルチパート上下ラベルシステムの少なくとも一つの実施形態による、上ラベル１６および下ラベル１４がその上に分配された後のラベルアプリケータ５００の下側を示す。スクリーン５０６は、図５に視認できる。図５に示すように、下ラベル１４の下側１０１４が視認できる。図５に示される観点から、下ラベル１４は、上ラベル１６を完全に覆い隠す。但し、上ラベル１６は、下ラベル１４とスクリーン５０６との間で、下ラベル１４と位置合わせされる。接着剤１３は、第一部分１０４０に有効な量で存在する。第二部分１０４４は、非常に限られた接着性しか有さない。
【００５５】
図６は、本開示の少なくとも一つの実施形態による、容器６００の表面６０１への上ラベル１６および下ラベル１４の貼り付けの側面図を示す。図６に示すように、ラベルアプリケータ５００は、方向６０２に移動し、それによって下ラベル１４の下側１０１４が、容器６００の表面６０１と接触するまで、上ラベル１６および下ラベル１４を方向６０４に移動する。容器６００の表面６０１に対するラベルアプリケータ５００の圧力によって、接着剤１３は、下ラベル１４の下側１０１４を容器６００の表面６０１に接着させて、下ラベル１４への下面１０１６の接着を完了する。
【００５６】
図７は、本開示の少なくとも一つの実施形態による、容器６００の表面６０１に接着した下ラベル１４および上ラベル１６を示す。図７に示すように、下ラベル１４と上ラベル１６は位置合わせされる。弱線３８は上ラベル１６に視認できる。
【００５７】
図８Ａ〜Ｂは、本開示によるマルチパート上下ラベルシステムの実施形態を示す。図８Ａに示すように、上ラベル１６の除去可能セグメント４６は、弱線３８に沿って上ラベル１６から部分的に除去される。この方式でセグメント４６を除去すると、下ラベル１４の除去可能領域４４が明らかになる。下ラベル１４がパッキングリストラベルである本開示による貼り付けられる上下ラベルシステムの実施形態において、除去可能領域４４は、除去可能パッキングリストを含むことができる。本開示のそのような実施形態において、下側１０４６は、非常に限られた接着性しか有さないので、除去可能領域４４は、セグメント４６を除去することによって損傷を受けないかまたは外観を傷つけられない。セグメント４６が除去されると、上ラベル１６のフレーム４２は、下ラベル１４に接着したままである。
【００５８】
図８Ｂに示すように、上ラベル１６の除去可能セグメント４６は、弱線３８に沿って上ラベル１６から完全に除去される。除去可能領域４４は、弱線３６に沿って下ラベル１４から除去することができる。下ラベル１４がパッキングリストラベルである本開示による貼り付けられる上下ラベルシステムの実施形態において、除去可能領域４４は、除去可能パッキングリストを含むことができる。本開示のそのような実施形態において、下側１０４４は、非常に限られた接着性しか有さないので、除去可能領域４４は、容器６００の表面６０１から容易に除去可能である。除去可能領域４４が除去された後、上ラベル１６のフレーム４２は、下ラベル１４のフレーム４０に接着したままであり、下ラベル１４のフレーム４０は、容器６００の表面６０１に接着したままである。
【００５９】
図９Ａ〜Ｂは、本開示の少なくとも一つの実施形態によるマルチパート上下ラベルシステム１００を示す。下ラベル１１４および上ラベル１１６が、図９Ａ〜Ｂに示される。本開示の少なくとも一つの実施形態において、下ラベル１１４および上ラベル１１６は、キャリア１１２上で互いに隣接している。本開示によるマルチパート上下ラベルシステムの少なくとも一つの実施形態において、複数の下ラベル１１４および上ラベル１１６は、キャリア１１２上に交互に存在する。本開示によるマルチパート上下ラベルシステム１００の少なくとも一つの実施形態において、各下ラベル１１４は、パッキングリストラベルを含み、各上ラベル１１６は、発送ラベルを含む。
【００６０】
本開示の少なくとも一つの実施形態によれば、下ラベル１１４は、前縁１１８、後縁１２２、側縁１２０と１２４、側タブ１３１と１３３、後タブ１３５、および除去可能領域１４４を含む。図９Ａに示されるような本開示によるマルチパート上下ラベルシステム１００の実施形態において、側タブ１３１と１３３の後縁は、後縁１２２と実質的に同一線上にある。図９Ｂに示されるような本開示によるマルチパート上下ラベルシステム１００の実施形態において、側タブ１３１と１３３の後縁は、後縁１２２と同一線上にはない。一つ以上の弱線１３６と１３７は、それぞれ、除去可能領域１４４と側タブ１３１と１３３の間に境界を定める。一つ以上の弱線１３９は、除去可能領域１４４と後タブ１３５の間に境界を定める。本開示の少なくとも一つの実施形態において、除去可能領域１４４は、除去可能パッキングリスを含む。
【００６１】
本開示の少なくとも一つの実施形態によれば、上ラベル１１６は、前縁１２６、後縁１３０、および側縁１２８と１３２に囲まれている。一つ以上の弱線１３８は、除去可能セグメント１４６の境界を定める。フレーム１４２は、弱線１３８と前縁１２６、後縁１３０、側縁１２８と１３２との間にある。本開示の少なくとも一つの実施形態によれば、上ラベル１１６は、一つ以上の穴１４７を含む。穴１４７ａ、１４７ｂ、１４７ｃ、１４７ｄ、１４７ｅ、１４７ｆ、１４７ｇ、および１４７ｈが、図９Ａ〜Ｂのラベルシステム１００の実施形態に示されている。ラベルシステム１００の他の実施形態は、より大きな数またはより小さな数の穴を有することがあり得る。本開示の少なくとも一つの実施形態によれば、穴１４７は、セグメント１４６およびキャリア１１２を貫通して延びる。本開示の少なくとも一つの実施形態において、穴１４７は、セグメント１４６を貫通してのみ延びる。
【００６２】
本開示の少なくとも一つの実施形態によれば、使用前に、上ラベル１１６および下ラベル１１４は、キャリア１１２上に互いに隣接して配置され、それによって上ラベル１１６および下ラベル１１４が、本願明細書で述べるようにキャリア１１２から順に分配されることを可能にする。キャリア１１２は、少なくとも一つの実施形態において、下ラベル１１４および上ラベル１１６の下側に面するキャリア１１２の表面に剥離層１１５を含む。本開示の少なくとも一つの実施形態において、剥離層１１５は、シリコーン剥離層である。本開示によるラベルシステム１００の少なくとも一つの実施形態によれば、以下に説明するように、接着剤１１３は、剥離層１１５と下ラベル１１４の下側、剥離層１１５と上ラベル１１６の下面の間に配置される。本開示の少なくとも一つの実施形態において、接着剤１１３は感圧接着剤である。
【００６３】
少なくとも一つの実施形態において、キャリア１１２は横ストライプ１３４を含む。横ストライプ１３４は、キャリア１１２の残りの部分の色と対照的であるキャリア１１２の領域の色または濃淡を含む。少なくとも一つの実施形態において、横ストライプ１３４は各上ラベル１１６の後であって、隣接する下ラベル１１４の前に置かれる。少なくとも一つの実施形態において、横ストライプ１３４は各下ラベル１１４の後であって、隣接する上ラベル１１６の前に置かれる。少なくとも一つの実施形態において、横ストライプ１３４は、各上ラベル１１６の後縁１３０および各下ラベル１１４の前縁１１８に重なる。
【００６４】
本開示によるマルチパート上下ラベルシステムの少なくとも一つの実施形態において、一つ以上の横ストライプ１３４は、上ラベル１１６および隣接する下ラベル１１４の分配を同期させる目的で検出装置と連動して使用される。
【００６５】
図１０Ａ〜Ｂは、本開示の少なくとも一つの実施形態による下ラベル１１４の下側および上ラベル１１６の下面を示し、キャリア１１２は、明確にするために視認できない。前縁１１８、後縁１２２、側縁１２０および１２４、側タブ１３１および１３３、後タブ１３５を含む下ラベル１１４の下側１１１４、および除去可能領域の下側１１４４が、図１０Ａ〜Ｂに示される。図１０Ａに示されるような本開示によるマルチパート上下ラベルシステム１００の実施形態において、側タブ１３１および１３３の後縁は、後縁１２２と実質的に同一線上にある。図１０Ｂに示されるような本開示によるマルチパート上下ラベルシステム１００の実施形態において、側タブ１３１および１３３の後縁は、後縁１２２と同一線上にはない。また、前縁１２６、後縁１３０、および側縁１２８と１３２に囲まれる、上ラベル１１６の下面１１１６が、図１０Ａ〜Ｂに示される。
【００６６】
少なくとも一つの実施形態において、下ラベル１１４の下側１１１４は、接着剤を実質的に含まない。少なくとも一つの実施形態において、下ラベル１１４の下側１１１４は、その表面積の全部または実質的に全部または大部分に接着剤１１３を含むが、下側１１１４は、例えば、非接着性ワニスのような接着防止剤１１７を含み、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアはわずかな粘着性を保持する。少なくとも一つの実施形態において、下側１１１４の全部は、接着性がないか実質的にない。但し、そのような実施形態において、下側１１１４は、わずかな粘着性を保持できる。少なくとも一つの代替実施形態において、後タブ１３５の下側の少なくとも一部は、その表面積の全部または実質的に全部または大部分に接着剤１１３を含むことができる。そのような実施形態において、下ラベル１１４が分配されるまで、接着剤１１３は、下ラベル１１４をキャリア１１２に除去可能に接着するのに役立つ。
【００６７】
本開示の少なくとも一つの実施形態において、上ラベル１１６の下面１１１６は、弱線１３８により分離される第一部分１１４２および第二部分１１４６を含む。第一部分１１４２は、フレーム１４２の下面を含む。第二部分１１４６は、除去可能セグメント１４６の下面を含む。少なくとも一つの実施形態において、第一部分１１４２は、その表面積の全部または実質的に全部または大部分に接着剤１１３を含む。少なくとも一つの実施形態において、第二部分１１４６は、接着剤を含まないか、実質的に含まない。少なくとも一つの実施形態において、第二部分１１４６は、その表面積の全部または実質的に全部または大部分に接着剤１１３を含むが、例えば、非接着性ワニスのような接着防止剤１１７は、それらのエリアで接着剤１１３を覆い、それによって接着剤１１３がこれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアはわずかな粘着性を保持する。
【００６８】
図１１Ａは、図９Ａまたは図９Ｂにおける線ＸＩ−ＸＩに沿った本開示の少なくとも一つの実施形態によるマルチパート上下ラベルシステムの断面図を示す。マルチパート上下ラベルシステムは、明確にするために半分解状態で図１１Ａに示される。キャリア１１２、接着剤１１３、前縁１１８および後タブ１３５を含む下ラベル１１４、剥離層１１５、前縁１２６および後縁１３０を含む上ラベル１１６、穴１４７ａ、ならびに穴１４７ｈが、図１１Ａに示される。本開示によるマルチパート上下ラベルシステムのこの実施形態に示すように、下側１１４４および第二部分１１４６は、接着剤１１３を含まない。
【００６９】
図１１Ｂは、図９Ａまたは図９Ｂにおける線ＸＩ−ＸＩに沿った本開示の少なくとも一つの実施形態によるマルチパート上下ラベルシステムの断面図を示す。マルチパート上下ラベルシステムは、明確にするために半分解状態で図１１Ｂに示される。キャリア１１２、接着剤１１３、前縁１１８および後タブ１３５を含む下ラベル１１４、剥離層１１５、前縁１２６および後縁１３０を含む上ラベル１１６、接着防止剤１１７、穴１４７ａ、ならびに穴１４７ｈが、図１１Ｂに示される。本開示の少なくとも一つの実施形態において、下側１１４４は、その表面積の全部または実質的に全部または大部分に接着剤１１３を含むが、例えば、非接着性ワニスのような接着防止剤１１７は、それらのエリアで接着剤１１３を覆う。第二部分１１４６も、その表面積の全部または実質的に全部または大部分に接着剤１１３を含むが、例えば、非接着性ワニスのような接着防止剤１１７は、それらのエリアで接着剤１１３を覆う。
【００７０】
図１２Ａ〜Ｂは、使用中の本開示の少なくとも一つの実施形態によるマルチパート上下ラベルシステムの側面図を示す。図１２Ａに示すように、上ラベル１１６および下ラベル１１４をその上に有するキャリア１１２は、方向５０８に前進する。キャリア１１２は、部材５０２周辺に送られて、上ラベル１１６は、前縁１２６を先にしてキャリア１１２から分配される。上ラベル１１６の下面１１１６の少なくとも一部は、それがキャリア１１２から分配された後、接着剤１１３を含む。上ラベル１１６が、キャリア１１２から分配されると、上ラベル１１６は、ラベルアプリケータ５００の下を通過する。ラベルアプリケータ５００によって発生する力５０４によって上ラベル１１６は、スクリーン５０６に対して持ち上げられて、保持される。スクリーン５０６は、ラベルアプリケータ５００の下面を形成する。
【００７１】
ここで図１２Ｂを参照すると、上ラベル１１６が、キャリア１１２から分配された後、下ラベル１１４をその上に有するキャリア１１２は、方向５０８に前進する。キャリア１１２は、部材５０２周辺に送られて、下ラベル１１４は、前縁１１８を先にしてキャリア１１２から分配される。下ラベル１１４が、キャリア１１２から分配されると、下ラベル１１４は、ラベルアプリケータ５００の下を通過する。ラベルアプリケータ５００によって発生する力５０４によって下ラベル１１４は、上ラベル１１６に対して持ち上げられて、保持されて、位置合わせされる。そのような実施形態において、下ラベル１１４はスクリーン５０６と接触していない。本開示によるマルチパート上下ラベルシステムの少なくとも一つのそのような実施形態において、上ラベル１１６は、一つ以上の穴１４７を含むので、下ラベル１１４のエリアが、上ラベル１１６のエリアより小さい場合であっても、力５０４が真空力である場合、力５０４は、上ラベル１１６の貫通穴１４７を通して作用して、下ラベル１１４を上ラベル１１６に対して保持して、位置合わせされる。下面１１１６は、接着剤１１３によって下ラベル１１４に接着し始める。
【００７２】
本開示によるマルチパート上下ラベルシステムの少なくとも一つの実施形態において、上ラベル１１６が、キャリア１１２から分配される前に、認証は、上ラベル１１６に印刷されるかまたはそれに貼り付けられる。上ラベル１１６が発送ラベルである本開示による貼り付けられる上下ラベルシステムの実施形態において、例えば、宛先アドレスおよび／または他の関連する発送認証のような認証は、上ラベル１１６に印刷されるかまたはそれに貼り付けられることが可能である。
【００７３】
本開示によるマルチパート上下ラベルシステムの少なくとも一つの実施形態において、下ラベル１１４が、キャリア１１２から分配される前に、認証は、下ラベル１１４に印刷されるかまたはそれに貼り付けられる。下ラベル１１４がパッキングリストラベルである本開示による貼り付けられる上下ラベルシステムの実施形態において、例えば、容器の内容および／または他のパッキングリスト認証のような認証は、下ラベル１１４に印刷されるかまたはそれに貼り付けられることが可能である。
【００７４】
少なくとも一つの実施形態において、ラベルアプリケータ５００は、例えば、熱転写式プリンタまたは直接感熱式プリンタのような印刷機能を有する。そのような実施形態において、認証は、ラベルアプリケータ５００によって上ラベル１１６および／または下ラベル１１４に貼り付けられることが可能である。
【００７５】
図１３は、本開示によるマルチパート上下ラベルシステムの少なくとも一つの実施形態による、上ラベル１１６および下ラベル１１４がその上に分配された後のラベルアプリケータ５００の下側を示す。スクリーン５０６が、図１３に視認できる。弱線１３８により分離される第一部分１１４２および第二部分１１４６を含む下面１１１６が、図１３に示される。第一部分１１４２は、その表面積に有効な量の接着剤１１３を含む。また、側タブ１３１および１３３、後タブ１３５、弱線１３６、１３７、および１３９、ならびに除去可能領域の下側１１４４を含む下ラベル１１４の下側１１１４が、図１３に示される。図１３に示すように、本開示によるマルチパート上下ラベルシステムの少なくとも一つの実施形態において、タブ１３１、１３３、および１３５のみが、第一部分１１４２上の接着剤１１３と接触する。したがって、そのような実施形態において、下ラベル１１４は、タブ１３１、１３３、および１３５でのみ下面１１１６に接着する。
【００７６】
図１４は、本開示の少なくとも一つの実施形態による、容器６００の表面６０１への上ラベル１１６および下ラベル１１４の貼り付けの側面図を示す。図１４に示すように、ラベルアプリケータ５００は、方向６０２に移動し、それによって下ラベル１１４の下側が、容器６００の表面６０１と接触するまで、上ラベル１１６および下ラベル１１４を方向６０４に移動する。容器６００の表面６０１に対するラベルアプリケータ５００の圧力によって、接着剤１１３は、上ラベル１１６の下面１１１６を容器６００の表面６０１に接着し、下ラベル１１４に対する下面１１１６の接着を完了する。
【００７７】
図１５は、容器６００の表面に接着される下ラベル１１４および上ラベル１１６を示す。弱線１３８および除去可能セグメント１４６を含む上ラベル１１６が、図１５に示される。除去可能領域１４４を含む下ラベル１１４は、上ラベル１１６の下に隠されて、除去可能領域１４４は、除去可能セグメント１４６と位置合わせされる。
【００７８】
図１６Ａ〜Ｂは、本開示によるマルチパート上下ラベルシステムの実施形態を示す。図１６Ａに示すように、上ラベル１１６の除去可能セグメント１４６は、弱線１３８に沿って上ラベル１１６から部分的に除去される。この方式でセグメント１４６を除去すると、除去可能領域１４４が明らかになる。下ラベル１１４がパッキングリストラベルである本開示による貼り付けられる上下ラベルシステムの実施形態において、除去可能領域１４４は、除去可能パッキングリストを含むことができる。本開示のそのような実施形態において、下側１１４６は、非常に限られた接着性しか有さないので、除去可能領域１４４は、セグメント１４６を除去することによって損傷を受けないかまたは外観を傷つけられない。セグメント１４６が除去されると、上ラベル１１６のフレーム１４２は、タブ１３１、１３３、および１３５で下ラベル１１４に、また表面６０１にも接着したままである。
【００７９】
図１６Ｂに示すように、除去可能領域１４４は、弱線１３６、１３７、および１３９に沿って下ラベル１１４から除去することができる。下ラベル１１４がパッキングリストラベルである本開示による貼り付けられる上下ラベルシステムの実施形態において、除去可能領域１４４は、除去可能パッキングリストを含むことができる。本開示のそのような実施形態において、下側１１４４は、非常に限られた接着性しか有さないので、除去可能領域１４４は、容器６００の表面６０１から容易に除去可能である。除去可能領域１４４が除去された後、上ラベル１１６のフレーム１４２は、容器６００の表面６０１に接着したままであり、タブ１３１、１３３、および１３５は、フレーム１４２の下に保持される。
【００８０】
図１７は、本開示の少なくとも一つの実施形態によるマルチパート上下ラベルシステム１０１を示す。下ラベル１１４および上ラベル１１６が、図１７に示される。本開示の少なくとも一つの実施形態において、下ラベル１１４および上ラベル１１６は、キャリア１１２上で互いに隣接している。本開示によるマルチパート上下ラベルシステムの少なくとも一つの実施形態において、複数の下ラベル１１４および上ラベル１１６は、キャリア１１２上に交互に存在する。本開示によるマルチパート上下ラベルシステム１０１の少なくとも一つの実施形態において、各上ラベル１１６は発送ラベルを含み、各下ラベル１１４は返送ラベルを含む。
【００８１】
本開示の少なくとも一つの実施形態によれば、下ラベル１１４は、前縁１１８、後縁１２２、側縁１２０と１２４、側タブ１３１と１３３、および後タブ１３５を含む。本開示によるマルチパート上下ラベルシステム１０１の実施形態において、側タブ１３１および１３３の後縁は、後縁１２２と実質的に同一線上にあり得る。
【００８２】
本開示の少なくとも一つの実施形態によれば、上ラベル１１６は、前縁１２６、後縁１３０、および側縁１２８と１３２に囲まれている。一つ以上の弱線１３８は、除去可能セグメント１４６の境界を定める。フレーム１４２は、弱線１３８と前縁１２６、後縁１３０、側縁１２８と１３２との間にある。本開示の少なくとも一つの実施形態によれば、上ラベル１１６は、一つ以上の穴１４７を含む。穴１４７ａ〜１４７ｈが、図１７のラベルシステム１０１の実施形態に示されている。ラベルシステム１０１の他の実施形態は、より大きな数またはより小さな数の穴を有することがあり得る。本開示の少なくとも一つの実施形態によれば、穴１４７は、セグメント１４６およびキャリア１１２を貫通して延びる。本開示の少なくとも一つの実施形態において、穴１４７は、セグメント１４６を貫通してのみ延びる。
【００８３】
本開示の少なくとも一つの実施形態によれば、使用前に、上ラベル１１６および下ラベル１１４は、キャリア１１２上に互いに隣接して配置され、それによって上ラベル１１６および下ラベル１１４が、本願明細書で述べるように順にキャリア１１２から分配されることを可能にする。キャリア１１２は、少なくとも一つの実施形態において、下ラベル１１４の下側および上ラベル１１６の下面に面するキャリア１１２の表面に剥離層１１５を含む。本開示の少なくとも一つの実施形態において、剥離層１１５は、シリコーン剥離層である。本開示によるラベルシステム１０１の少なくとも一つの実施形態によれば、以下に説明するように、接着剤１１３は、剥離層１１５と下ラベル１１４の下側、剥離層１１５と上ラベル１１６の下面の間に配置される。本開示の少なくとも一つの実施形態において、接着剤１１３は、感圧接着剤である。
【００８４】
少なくとも一つの実施形態において、キャリア１１２は、横ストライプ１３４を含む。横ストライプ１３４は、キャリア１１２の残りの部分の色と対照的であるキャリア１１２の領域の色または濃淡を含む。少なくとも一つの実施形態において、横ストライプ１３４は、各上ラベル１１６の後であって、隣接する下ラベル１１４の前に置かれる。少なくとも一つの実施形態において、横ストライプ１３４は、各下ラベル１１４の後であって、隣接する上ラベル１１６の前に置かれる。少なくとも一つの実施形態において、横ストライプ１３４は、各上ラベル１１６の後縁１３０および各下ラベル１１４の前縁１１８に重なる。
【００８５】
本開示によるマルチパート上下ラベルシステムの少なくとも一つの実施形態において、一つ以上の横ストライプ１３４は、上ラベル１１６および隣接する下ラベル１１４の分配を同期させる目的で検出装置と連動して使用される。
【００８６】
図１８は、本開示の少なくとも一つの実施形態による下ラベル１１４の下側および上ラベル１１６の下面を示し、キャリア１１２は、明確にするために視認できない。前縁１１８、後縁１２２、側縁１２０および１２４、側タブ１３１および１３３、ならびに後タブ１３５を含む下ラベル１１４の下側１１１４が、図１８に示される。本開示によるマルチパート上下ラベルシステム１０１の実施形態において、側タブ１３１および１３３の後縁は、後縁１２２と実質的に同一線上にあり得る。また、前縁１２６、後縁１３０、および側縁１２８と１３２に囲まれる上ラベル１１６の下面１１１６が、図１８に示される。
【００８７】
少なくとも一つの実施形態において、下ラベル１１４の下側１１１４は、その表面積の少なくとも一部に接着剤１１３を含む。少なくとも一つの実施形態において、下ラベル１１４の下側１１１４は、その表面積の全部または実質的に全部または大部分に接着剤１１３を含む。本開示の少なくとも一つの実施形態において、上ラベル１１６の下面１１１６は、弱線１３８により分離される第一部分１１４２および第二部分１１４６を含む。第一部分１１４２は、フレーム１４２の下面を含む。第二部分１１４６は、除去可能セグメント１４６の下面を含む。少なくとも一つの実施形態において、第一部分１１４２は、その表面積の全部または実質的に全部または大部分に接着剤１１３を含む。少なくとも一つの実施形態において、第二部分１１４６は、接着剤を含まないか、実質的に含まない。少なくとも一つの実施形態において、第二部分１１４６は、その表面積の全部または実質的に全部または大部分に接着剤１１３を含むが、例えば、非接着性ワニスのような接着防止剤１１７は、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアはわずかな粘着性を保持する。
【００８８】
図１９Ａは、図１７における線ＸＩＸ−ＸＩＸに沿った本開示の少なくとも一つの実施形態によるマルチパート上下ラベルシステムの断面図を示す。マルチパート上下ラベルシステムは、明確にするために半分解状態で図１９Ａに示される。キャリア１１２、接着剤１１３、前縁１１８および後タブ１３５を含む下ラベル１１４、剥離層１１５、前縁１２６および後縁１３０を含む上ラベル１１６、穴１４７ａ、ならびに穴１４７ｈが、図１９Ａに示される。本開示によるマルチパート上下ラベルシステムのこの実施形態に示すように、第二部分１１４６は、接着剤１１３を含まず、下側１１４４は、その表面積の全部または実質的に全部または大部分に接着剤１１３を含む。
【００８９】
図１９Ｂは、図１７における線ＸＩＸ−ＸＩＸに沿った本開示の少なくとも一つの実施形態によるマルチパート上下ラベルシステムの断面図を示す。マルチパート上下ラベルシステムは、明確にするために半分解状態で図１９Ｂに示される。キャリア１１２、接着剤１１３、前縁１１８および後タブ１３５を含む下ラベル１１４、剥離層１１５、前縁１２６および後縁１３０を含む上ラベル１１６、接着防止剤１１７、穴１４７ａ、ならびに穴１４７ｈが、図１９Ｂに示される。本開示の少なくとも一つの実施形態において、下側１１４４は、その表面積の全部または実質的に全部または大部分に接着剤１１３を含む。第二部分１１４６も、その表面積の全部または実質的に全部または大部分に接着剤１１３を含むが、例えば、非接着性ワニスのような接着防止剤１１７は、それらのエリアで接着剤１１３を覆う。
【００９０】
本開示の少なくとも一つの実施形態によるマルチパート上下ラベルシステム１０１は、図１２Ａ〜１５および本明細書に示されて記載される装置および方法と実質的に類似の装置および方法を用いることにより表面に自動的に貼り付けることが可能である。本開示の少なくとも一つの実施形態によるマルチパート上下ラベルシステム１０１は、本開示の少なくとも一つの実施形態によるマルチパート上下ラベルシステム１０１の下ラベル１１４の下側１１１４が、その表面積の全部または実質的に全部または大部分に接着剤１１３を含むので、マルチパート上下ラベルシステム１０１の下ラベル１１４は、それが貼り付けられる表面から容易に除去することができない場合には、図１６Ａ〜１６Ｂおよび本明細書に示されて記載される方法と実質的に類似の方法で用いることができる。本開示によるマルチパート上下ラベルシステム１０１の少なくとも一つの実施形態によれば、上ラベル１１６は、送付先住所の認証を含み、下ラベル１１４は、返送先住所の認証を含む。そのような実施形態によれば、上ラベル１１６および下ラベル１１４を含む容器が、その出所に戻されることになっている場合、受け取ると、受取人は、上ラベル１１６を除去して、下ラベル１１４上の返送先住所の認証を明らかにすることができる。容器は、その出所へ送り返すことができる。
【００９１】
図２０は、本開示の少なくとも一つの実施形態によるマルチパート上下ラベルシステム１０２を示す。下ラベル１１４および上ラベル１１６が、図２０に示される。本開示の少なくとも一つの実施形態において、下ラベル１１４および上ラベル１１６は、キャリア１１２上で互いに隣接している。本開示によるマルチパート上下ラベルシステムの少なくとも一つの実施形態において、複数の下ラベル１１４および上ラベル１１６は、キャリア１１２上に交互に存在する。本開示によるマルチパート上下ラベルシステム１０２の少なくとも一つの実施形態において、各下ラベル１１４は、パッキングリストラベルを含み、各上ラベル１１６は、発送ラベルを含む。
【００９２】
本開示の少なくとも一つの実施形態によれば、下ラベル１１４は、前縁１１８、後縁１２２、側縁１２０と１２４、および後タブ１３５を含む。本開示の少なくとも一つの実施形態によれば、上ラベル１１６は、前縁１２６、後縁１３０、および側縁１２８と１３２に囲まれている。一つ以上の弱線１３８は、除去可能セグメント１４６の境界を定める。フレーム１４２は、弱線１３８と前縁１２６、後縁１３０、側縁１２８と１３２との間にある。本開示の少なくとも一つの実施形態によれば、上ラベル１１６は、一つ以上の穴１４７を含む。穴１４７ａ〜１４７ｉが、図２０のラベルシステム１０２の実施形態に示されている。ラベルシステム１０２の他の実施形態は、より大きな数またはより小さな数の穴を有することがあり得る。本開示の少なくとも一つの実施形態によれば、穴１４７は、セグメント１４６およびキャリア１１２を貫通して延びる。本開示の少なくとも一つの実施形態において、穴１４７は、セグメント１４６を貫通してのみ延びる。
【００９３】
本開示の少なくとも一つの実施形態によれば、使用前に、上ラベル１１６および下ラベル１１４は、キャリア１１２上に互いに隣接して配置され、それによって上ラベル１１６および下ラベル１１４が、本願明細書に述べるように順にキャリア１１２から分配されることを可能にする。キャリア１１２は、少なくとも一つの実施形態において、下ラベル１１４の下側および上ラベル１１６の下面に面するキャリア１１２の表面に剥離層１１５を含む。本開示の少なくとも一つの実施形態において、剥離層１１５は、シリコーン剥離層である。本開示によるラベルシステム１０２の少なくとも一つの実施形態によれば、以下に説明するように、接着剤１１３は、剥離層１１５と下ラベル１１４の下側、剥離層１１５と上ラベル１１６の下面の間に配置される。本開示の少なくとも一つの実施形態において、接着剤１１３は、感圧接着剤である。
【００９４】
少なくとも一つの実施形態において、キャリア１１２は、横ストライプ１３４を含む。横ストライプ１３４は、キャリア１１２の残りの部分の色と対照的であるキャリア１１２の領域の色または濃淡を含む。少なくとも一つの実施形態において、横ストライプ１３４は、各上ラベル１１６の後であって、隣接する下ラベル１１４の前に置かれる。少なくとも一つの実施形態において、横ストライプ１３４は、各下ラベル１１４の後であって、隣接する上ラベル１１６の前に置かれる。少なくとも一つの実施形態において、横ストライプ１３４は、各上ラベル１１６の後縁１３０および各下ラベル１１４の前縁１１８に重なる。
【００９５】
本開示によるマルチパート上下ラベルシステムの少なくとも一つの実施形態において、一つ以上の横ストライプ１３４は、上ラベル１１６および隣接する下ラベル１１４の分配を同期させる目的で検出装置と連動して使用される。
【００９６】
図２１は、本開示の少なくとも一つの実施形態による下ラベル１１４の下側および上ラベル１１６の下面を示し、キャリア１１２は、明確にするために視認できない。前縁１１８、後縁１２２、側縁１２０および１２４、ならびに後タブ１３５を含む下ラベル１１４の下側１１１４が、図２１に示される。また、前縁１２６、後縁１３０、および側縁１２８と１３２に囲まれる上ラベル１１６の下面１１１６が、図２１に示される。
【００９７】
少なくとも一つの実施形態において、下ラベル１１４の下側１１１４は、接着剤を含まないか、実質的に含まない。少なくとも一つの実施形態において、下側１１１４は、その表面積の全部または実質的に全部または大部分に接着剤１１３を含むが、例えば、非接着性ワニスのような接着防止剤１１７は、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアは、わずかな粘着性を保持する。
【００９８】
本開示の少なくとも一つの実施形態において、上ラベル１１６の下面１１１６は、第一部分１１４２、第二部分１１４６、および第三部分１１４７を含む。第一部分１１４２および第三部分１１４７は、フレーム１４２の下面を含む。第二部分１１４６は、除去可能セグメント１４６の下面を含む。本開示の少なくとも一つの実施形態において、第一部分１１４２および第二部分１１４６は、弱線１３８により分離される。
【００９９】
少なくとも一つの実施形態において、第一部分１１４２は、その表面積の全部または実質的に全部または大部分に接着剤１１３を含む。少なくとも一つの実施形態において、第二部分１１４６および第三部分１１４７は、接着剤を含まないか、実質的に含まない。少なくとも一つの実施形態において、第二部分１１４６および第三部分１１４７は、その表面積の全部または実質的に全部または大部分に接着剤１１３を含むが、例えば、非接着性ワニスのような接着防止剤１１７は、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアは、わずかな粘着性を保持する。
【０１００】
図２２Ａは、図２０における線ＸＸＩＩ−ＸＸＩＩに沿った本開示の少なくとも一つの実施形態によるマルチパート上下ラベルシステムの断面図を示す。マルチパート上下ラベルシステムは、明確にするために半分解状態で図２２Ａに示される。キャリア１１２、接着剤１１３、前縁１１８および後タブ１３５を含む下ラベル１１４、剥離層１１５、前縁１２６および後縁１３０を含む上ラベル１１６、穴１４７ａ、穴１４７ｈ、穴１４７ｉ、ならびに穴１４７ｊが、図２２Ａに示される。本開示によるマルチパート上下ラベルシステムのこの実施形態に示すように、第二部分１１４６は、接着剤１１３を含まず、下側１１４４は、接着剤１１３を含まない。
【０１０１】
図２２Ｂは、図２０における線ＸＸＩＩ−ＸＸＩＩに沿った本開示の少なくとも一つの実施形態によるマルチパート上下ラベルシステムの断面図を示す。マルチパート上下ラベルシステムは、明確にするために半分解状態で図２２Ｂに示される。キャリア１１２、接着剤１１３、前縁１１８および後タブ１３５を含む下ラベル１１４、剥離層１１５、前縁１２６および後縁１３０を含む上ラベル１１６、接着防止剤１１７、穴１４７ａ、穴１４７ｈ、穴１４７ｉ、ならびに穴１４７ｊが、図２２Ｂに示される。本開示の少なくとも一つの他の実施形態において、下側１１４４は、その表面積の全部または実質的に全部または大部分に接着剤１１３を含むが、例えば、非接着性ワニスのような接着防止剤１１７は、それらのエリアで接着剤１１３を覆う。第二部分１１４６も、その表面積の全部または実質的に全部または大部分に接着剤１１３を含むが、例えば、非接着性ワニスのような接着防止剤１１７は、それらのエリアで接着剤１１３を覆う。
【０１０２】
本開示の少なくとも一つの実施形態によるマルチパート上下ラベルシステム１０２は、図１２Ａ〜１５および本明細書に示されて記載される装置および方法と実質的に類似の装置および方法を用いることにより表面に自動的に貼り付けることが可能である。第三部分１１４７が、接着剤１１３を含まないか、または接着防止剤１１７でカバーされるので、下ラベル１１４が、上下ラベルシステム１０２が貼り付けられた表面から除去されるとき、後タブ１３５を含む下ラベル１１４の全部が、そのような表面から除去される場合には、本開示の少なくとも一つの実施形態によるマルチパート上下ラベルシステム１０２は、図１６Ａ〜１６Ｂおよび本明細書に示されて記載される方法と実質的に類似の方法で用いることができる。
【０１０３】
図２３は、本開示の少なくとも一つの実施形態によるマルチパート上下ラベルシステム１０３を示す。下ラベル１１４および上ラベル１１６が、図２３に示される。本開示の少なくとも一つの実施形態において、下ラベル１１４および上ラベル１１６は、キャリア１１２上で互いに隣接している。本開示によるマルチパート上下ラベルシステムの少なくとも一つの実施形態において、複数の下ラベル１１４および上ラベル１１６は、キャリア１１２上に交互に存在する。本開示によるマルチパート上下ラベルシステム１０３の少なくとも一つの実施形態において、各上ラベル１１６は、出荷ラベルを含み、各下ラベル１１４は、パッキングリストラベルを含む。
【０１０４】
本開示の少なくとも一つの実施形態によれば、下ラベル１１４は、前縁１１８、後縁１２２、側縁１２０および１２４、側タブ１３１および１３３、後タブ１３５、ならびに除去可能領域１４４を含む。一つ以上の弱線１３６および１３７は、それぞれ、除去可能領域１４４と側タブ１３１および１３３の間の境界を定める。少なくとも一つのそのような実施形態において、後縁１２２は、複数の後タブ１４１を含む。本開示の少なくとも一つの実施形態において、除去可能領域１４４は、除去可能パッキングリストを含む。
【０１０５】
本開示の少なくとも一つの実施形態によれば、上ラベル１１６は、前縁１２６、後縁１３０、および側縁１２８と１３２に囲まれている。一つ以上の弱線１３８は、除去可能セグメント１４６の境界を定める。フレーム１４２は、弱線１３８と前縁１２６、後縁１３０、側縁１２８と１３２との間にある。本開示の少なくとも一つの実施形態によれば、上ラベル１１６は一つ以上の穴１４７を含む。穴１４７ａ〜１４７ｈが、図２３のラベルシステム１０３の実施形態に示されている。ラベルシステム１０３の他の実施形態は、より大きな数またはより小さな数の穴を有することがあり得る。本開示の少なくとも一つの実施形態によれば、穴１４７は、セグメント１４６およびキャリア１１２を貫通して延びる。本開示の少なくとも一つの実施形態において、穴１４７は、セグメント１４６を貫通してのみ延びる。
【０１０６】
本開示の少なくとも一つの実施形態によれば、使用前に、上ラベル１１６および下ラベル１１４は、キャリア１１２上に互いに隣接して配置され、それによって上ラベル１１６および下ラベル１１４が、本願明細書で述べるように順にキャリア１１２から分配されることを可能にする。キャリア１１２は、少なくとも一つの実施形態において、下ラベル１１４の下側および上ラベル１１６の下面に面するキャリア１１２の表面に剥離層１１５を含む。本開示の少なくとも一つの実施形態において、剥離層１１５は、シリコーン剥離層である。本開示によるラベルシステム１０３の少なくとも一つの実施形態によれば、以下に説明するように、接着剤１１３は、剥離層１１５と下ラベル１１４の下側、剥離層１１５と上ラベル１１６の下面の間に配置される。本開示の少なくとも一つの実施形態において、接着剤１１３は感圧接着剤である。
【０１０７】
少なくとも一つの実施形態において、キャリア１１２は、横ストライプ１３４を含む。横ストライプ１３４は、キャリア１１２の残りの部分の色と対照的であるキャリア１１２の領域の色または濃淡を含む。少なくとも一つの実施形態において、横ストライプ１３４は、各上ラベル１１６の後であって、隣接する下ラベル１１４の前に置かれる。少なくとも一つの実施形態において、横ストライプ１３４は、各下ラベル１１４の後であって、隣接する上ラベル１１６の前に置かれる。少なくとも一つの実施形態において、横ストライプ１３４は、各上ラベル１１６の後縁１３０および各下ラベル１１４の前縁１１８に重なる。
【０１０８】
本開示によるマルチパート上下ラベルシステムの少なくとも一つの実施形態において、一つ以上の横ストライプ１３４は、上ラベル１１６および隣接する下ラベル１１４の分配を同期させる目的で検出装置と連動して使用される。
【０１０９】
図２４は、本開示の少なくとも一つの実施形態による下ラベル１１４の下側および上ラベル１１６の下面を示し、キャリア１１２は、明確にするために視認できない。前縁１１８、後縁１２２、側縁１２０および１２４、側タブ１３１および１３３、後タブ１４１を含む下ラベル１１４の下側１１１４、ならびに除去可能領域の下側１１４４が、図２４に示される。少なくとも一つの実施形態において、後タブ１４１の少なくとも一つの下側は、セグメント１１４１を含む。そのような実施形態によれば、各セグメント１１４１は、その表面積の全部または実質的に全部または大部分に接着剤１１３を含む。そのような実施形態において、パッキングリストラベル１１４が分配されるまで、接着剤１１３を含む各セグメント１１４１は、パッキングリストラベル１１４をキャリア１１２に除去可能に接着するのに役立つ。そのような実施形態によれば、パッキングリストラベル１１４の下側１１１４の残りは、接着剤を実質的に含まない。少なくとも一つの実施形態において、パッキングリストラベル１１４の下側１１１４は、その表面積の全部または実質的に全部または大部分に接着剤１１３を含むが、セグメント１１４１以外の下側１１１４の部分は、例えば、非接着性ワニスのような接着防止剤１１７を含み、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアはわずかな粘着性を保持する。少なくとも一つの実施形態において、下側１１１４の全部は接着性がないか実質的にない。但し、そのような実施形態において、下側１１１４はわずかな粘着性を保持できる。
【０１１０】
また、前縁１２６、後縁１３０、および側縁１２８と１３２に囲まれる上ラベル１１６の下面１１１６が、図２４に示される。本開示の少なくとも一つの実施形態において、上ラベル１１６の下面１１１６は、弱線１３８により分離される第一部分１１４２および第二部分１１４６を含む。第一部分１１４２は、フレーム１４２の下面を含む。第二部分１１４６は、除去可能セグメント１４６の下面を含む。少なくとも一つの実施形態において、第一部分１１４２は、その表面積の全部または実質的に全部または大部分に接着剤１１３を含む。少なくとも一つの実施形態において、第二部分１１４６は接着剤を含まないか、実質的に含まない。少なくとも一つの実施形態において、第二部分１１４６は、その表面積の全部または実質的に全部または大部分に接着剤１１３を含むが、例えば、非接着性ワニスのような接着防止剤１１７は、それらのエリアで接着剤１１３を覆い、それによって接着剤１１３はそれらのエリアにおいて効果がなくなる。本開示の少なくとも一つの実施形態において、接着防止剤１１７は、接着防止剤１１７により処理されるそれらのエリアにおいて接着剤１１３が完全に効果がなくならないように選択される。そのような実施形態において、接着防止剤１１７による接着剤１１３の処理の後、処理されたエリアは、わずかな粘着性を保持する。
【０１１１】
図２５Ａは、図２５における線ＸＸＶ−ＸＸＶに沿った本開示の少なくとも一つの実施形態によるマルチパート上下ラベルシステムの断面図を示す。マルチパート上下ラベルシステムは、明確にするために半分解状態で図２５Ａに示される。キャリア１１２、接着剤１１３、（前縁１１８、後タブ１４１、およびセグメント１１４１を含む）下ラベル１１４、剥離層１１５、（前縁１２６および後縁１３０を含む）上ラベル１１６が、図２５Ａに示される。本開示によるマルチパート上下ラベルシステムのこの実施形態に示すように、第二部分１１４６は、接着剤１１３を含まず、下側１１４４は、接着剤１１３を含まない。
【０１１２】
図２５Ｂは、図２３における線ＸＸＶ−ＸＸＶに沿った本開示の少なくとも一つの実施形態によるマルチパート上下ラベルシステムの断面図を示す。マルチパート上下ラベルシステムは、明確にするために半分解状態で図２５Ｂに示される。キャリア１１２、接着剤１１３、（前縁１１８、後タブ１４１、およびセグメント１１４１を含む）下ラベル１１４、剥離層１１５、（前縁１２６および後縁１３０を含む）上ラベル１１６、および接着防止剤１１７が、図２５Ｂに示される。本開示の少なくとも一つの実施形態において、下側１１４４は、その表面積の全部または実質的に全部または大部分に接着剤１１３を含むが、例えば、非接着性ワニスのような接着防止剤１１７は、それらのエリアで接着剤１１３を覆う。第二部分１１４６も、その表面積の全部または実質的に全部または大部分に接着剤１１３を含むが、例えば、非接着性ワニスのような接着防止剤１１７は、それらのエリアで接着剤１１３を覆う。
【０１１３】
本開示の少なくとも一つの実施形態によるマルチパート上下ラベルシステム１０３は、図１２Ａ〜１５および本明細書で示されて記載される装置および方法と実質的に類似の装置および方法を用いることにより表面に自動的に貼り付けることが可能である。除去可能領域１４４が、それが貼り付けられる表面から除去されるとき、除去可能領域１４４が、弱線１３６および１３７に沿って、後タブ１４１を剥がすことによって、下ラベル１１４から分離される場合には、本開示の少なくとも一つの実施形態によるマルチパート上下ラベルシステム１０２は、図１６Ａ〜１６Ｂおよび本明細書に示されて記載される方法と実質的に類似の方法で用いることができる。
【０１１４】
図２６は、本開示の少なくとも一つの実施形態による第一および第二のラベルシステム２００を示す。キャリア２１２上の第一ラベル２１４および第二ラベル２１６が、図２６に示される。本開示による第一および第二のラベルシステムの少なくとも一つの実施形態において、複数の第一ラベル２１４および第二ラベル２１６は、キャリア２１２上に交互に存在する。本開示による第一および第二のラベルシステム２００の少なくとも一つの実施形態において、各第一ラベル２１４は、パッキングリストラベルを含み、各第二ラベル２１６は、発送ラベルを含む。
【０１１５】
本開示による第一および第二のラベルシステム２００の少なくとも一つの実施形態によれば、第一ラベル２１４は、前縁２１８、後縁２２２、および側縁２２０と２２４に囲まれている。本開示による第一および第二のラベルシステム２００の少なくとも一つの実施形態によれば、第二ラベル２１６は、前縁２２６、後縁２３０、および側縁２２８と２３２に囲まれている。一つ以上の弱線２３８は、第二ラベル２１６の除去可能セグメント２４６の境界を定める。フレーム２４２は、弱線２３８と前縁２２６、後縁２３０、側縁２２８、および側縁２３２との間にある。
【０１１６】
本開示による第一および第二のラベルシステム２００の少なくとも一つの実施形態によれば、前縁２１８、後縁２２２、および側縁２２０と２２４に囲まれている第一ラベル２１４のエリアは、前縁２２６、後縁２３０、および側縁２２８と２３２に囲まれている第二ラベル２１６のエリアより小さい。本開示による第一および第二のラベルシステムの少なくとも一つの実施形態によれば、第一ラベル２１４のエリアは、除去可能セグメント２４６のエリアより大きくない。本開示による第一および第二のラベルシステム２００の少なくとも一つの実施形態によれば、第二ラベル２１６は、前縁２２６と後縁２３０の間の最も近い間隔である長さＬ１を含み、第一ラベル２１４は、前縁２１８と後縁２２２の間の最も近い間隔である長さＬ２を含み、Ｌ１＞Ｌ２である。本開示による第一および第二のラベルシステム２００の少なくとも一つの実施形態によれば、第二ラベル２１６は、第一側縁２２８と第二側縁２３２の間の最も近い間隔である幅Ｗ１を含み、第一ラベル２１４は、第一側縁２２０と第二側縁２２４の間の最も近い間隔である幅Ｗ２を含み、Ｗ１＞Ｗ２である。本開示による第一および第二のラベルシステム２００の少なくとも一つの実施形態によれば、第二ラベル２１６は、弱線２３８が平行するセグメントの間の最も近い間隔である間隔Ｄ１を含み、Ｄ１＞Ｗ２である。
【０１１７】
本開示による第一および第二のラベルシステムの少なくとも一つの実施形態によれば、第二ラベル２１６および第一ラベル２１４は、キャリア２１２上に互いに隣接して配置され、キャリア２１２に除去可能に接着し、それによって第二ラベル２１６および第一ラベル２１４が、本願明細書で述べるように順にキャリア２１２から分配されることを可能にする。キャリア２１２は、少なくとも一つの実施形態において、第一ラベル２１４および第二ラベル２１６の下面に面するキャリア２１２の表面に剥離層２１５を含む。本開示の少なくとも一つの実施形態において、剥離層２１５は、シリコーン剥離層である。本開示によるラベルシステム２００の少なくとも一つの実施形態によれば、以下に説明するように、接着剤２１３は、剥離層２１５と下ラベル２１４の下側、剥離層２１５と上ラベル２１６の下面の間に配置される。本開示の少なくとも一つの実施形態において、接着剤２１３は感圧接着剤である。
【０１１８】
図２７は、本開示による第一および第二のラベルシステムの少なくとも一つの実施形態による第一ラベル２１４の下側および第二ラベル２１６の下面を示し、キャリア２１２は、明確にするために視認できない。前縁２１８、後縁２２２、および側縁２２０と２２４に囲まれる第一ラベル２１４の下側１２１４が、図２７に示される。また、前縁２２６、後縁２３０、および側縁２２８と２３２に囲まれる第二ラベル２１６の下面１２１６が、図２７に示される。
【０１１９】
少なくとも一つの実施形態において、第一ラベル２１４の下側１２１４は、その表面積の全部または実質的に全部または大部分に接着剤２１３を含む。本開示の少なくとも一つの実施形態において、第二ラベル２１６の下面１２１６は、弱線２３８により分離される第一部分１２４２および第二部分１２４６を含む。第一部分１２４２は、フレーム２４２の下面を含む。第二部分１２４６は、除去可能セグメント２４６の下面を含む。少なくとも一つの実施形態において、第一部分１２４２は、その表面積の全部または実質的に全部または大部分に接着剤２１３を含む。少なくとも一つの実施形態において、第二部分１２４６は、接着剤を含まないか、実質的に含まない。図２７に示されるラベルシステム２００の実施形態において、第二部分１２４６は、後縁２３０の近くに接着剤２１３のスポット１２１３を含む。
【０１２０】
図２８は、図２６における線ＸＸＶＩＩＩ−ＸＸＶＩＩＩに沿った本開示の少なくとも一つの実施形態による第一および第二のラベルシステムの断面図を示す。第一および第二のラベルシステム２００は、明確にするために半分解状態で図２８に示される。キャリア２１２、接着剤２１３、前縁２１８と後縁２２２を含む第一ラベル２１４、剥離層２１５、および前縁２２６と後縁２３０を含む第二ラベル２１６が、図２８に示される。
【０１２１】
図２９は、上に述べたように第一ラベル２１４および第二ラベル２１６を含む本開示の少なくとも一つの実施形態による第一および第二のラベルシステム２００を示す。図３０は、第一ラベル２１４の下側および第二ラベル２１６の下面を示し、キャリア２１２は、明確にするために視認できない。図２９〜３０に示される第一および第二のラベルシステム２００の実施形態において、第二ラベル２１６は穴２３９を含む。ラベルシステム２００の他の実施形態は、より大きな数の穴を有することができる。本開示の少なくとも一つの実施形態によれば、穴２３９は、除去可能セグメント２４６およびキャリア２１２を貫通して延びる。本開示の少なくとも一つの実施形態において、穴２３９は、除去可能セグメント２４６を貫通してのみ延びる。
【０１２２】
図３１は、本開示の少なくとも一つの実施形態による第一および第二のラベルシステム３００を示す。キャリア３１２上の第一ラベル３１４および第二ラベル３１６が、図３１に示される。本開示による第一および第二のラベルシステムの少なくとも一つの実施形態において、複数の第一ラベル３１４および第二ラベル３１６は、キャリア３１２上に交互に存在する。本開示による第一および第二のラベルシステム３００の少なくとも一つの実施形態において、各第一ラベル３１４は、パッキングリストラベルを含み、各第二ラベル３１６は、発送ラベルを含む。
【０１２３】
本開示による第一および第二のラベルシステムの少なくとも一つの実施形態によれば、第一ラベル３１４は、前縁３１８、後縁３２２、および側縁３２０と３２４に囲まれている。一つ以上の弱線３３６は、第一ラベル３１４の除去可能領域３４４の境界を定める。第一ラベル３１４がパッキングリストラベルを含む本開示の少なくとも一つの実施形態において、除去可能領域３４４は、除去可能パッキングリストを含む。フレーム３４０は、弱線３３６と前縁３１８、側縁３２０、および側縁３２４との間にある。フレーム３４０は、先フレームセグメント３３３を含む。
【０１２４】
本開示による第一および第二のラベルシステムの少なくとも一つの実施形態によれば、第二ラベル３１６は、前縁３２６、後縁３３０、および側縁３２８と３３２に囲まれている。第二ラベル３１６は、平行な弱線３４３、３４７により構成される開封帯３３９を含む。弱線３３８は、置換え可能なセグメント３４６の境界を定める。本開示による第一および第二のラベルシステムの少なくとも一つの実施形態によれば、前縁３１８、後縁３２２、および側縁３２０と３２４に囲まれている第一ラベル３１４のエリアは、前縁３２６、後縁３３０、および側縁３２８と３３２に囲まれている第二ラベル３１６のエリアより小さい。
【０１２５】
本開示による第一および第二のラベルシステム３００の少なくとも一つの実施形態によれば、第一ラベル３１４および第二ラベル３１６は、キャリア３１２上に互いに隣接して配置され、キャリア３１２に除去可能に接着し、それによって第一ラベル３１４および第二ラベル３１６が、本願明細書で述べるように順にキャリア３１２から分配されることを可能にする。キャリア３１２は、少なくとも一つの実施形態において、第一ラベル３１４および第二ラベル３１６に面するキャリア３１２の表面に剥離層３１５を含む。本開示の少なくとも一つの実施形態において、剥離層３１５は、シリコーン剥離層である。本開示によるラベルシステム３００の少なくとも一つの実施形態によれば、以下に説明するように、接着剤３１３は、剥離層３１５と下ラベル３１４の下側、剥離層３１５と上ラベル３１６の下面の間に配置される。本開示の少なくとも一つの実施形態において、接着剤３１３は感圧接着剤である。
【０１２６】
図３２は、本開示による第一および第二のラベルシステムの少なくとも一つの実施形態による第一ラベル３１４の下側および第二ラベル３１６の下面を示し、キャリア３１２は、明確にするために視認できない。前縁３１８、後縁３２２、および側縁３２０と３２４に囲まれる第一ラベル３１４の下側１３１４が、図３２に示される。また、前縁３２６、後縁３３０、および側縁３２８と３３２に囲まれる第二ラベル３１６の下面１３１６が、図３２に示される。
【０１２７】
少なくとも一つの実施形態において、第一ラベル３１４の下側１３１４は、弱線３３６により分離される第一部分１３４０および第二部分１３４４を含む。第一部分１３４０は、フレーム３４０の下側を含む。第二部分１３４４は、除去可能領域３４４の下側を含む。少なくとも一つの実施形態において、第一部分１３４０は、その表面積の全部または実質的に全部または大部分に接着剤３１３を含む。少なくとも一つの実施形態において、第二部分１３４４は、接着剤を含まないか、実質的に含まない。
【０１２８】
本開示の少なくとも一つの実施形態において、第二ラベル３１６の下面１３１６は、第一部分１３４２および第二部分１３４６を含む。少なくとも一つの実施形態において、第一部分１３４２は、その表面積の全部または実質的に全部または大部分に接着剤３１３を含む。第一部分１３４２は、前接着性セグメント３３５を含む。少なくとも一つの実施形態において、第二部分１３４６は、開封帯３３９の下面のように、接着剤を含まないか、実質的に含まない。
【０１２９】
図３３は、図３１における線ＸＸＸＩＩＩ−ＸＸＸＩＩＩに沿った本開示の少なくとも一つの実施形態による第一および第二のラベルシステムの断面図を示す。第一および第二のラベルシステムは、明確にするために半分解状態で図３３に示される。キャリア３１２、接着剤３１３、前縁３１８と後縁３２２を含む第一ラベル３１４、剥離層３１５、および前縁３２６と後縁３３０を含む第二ラベル３１６が、図３３に示される。
【０１３０】
図３４は、上に述べたように第一ラベル３１４および第二ラベル３１６を含む本開示の少なくとも一つの実施形態による第一および第二のラベルシステム３００を示す。図３５は、第一ラベル３１４の下側および第二ラベル３１６の下面を示し、キャリア３１２は、明確にするために視認できない。図３４〜３５に示される第一および第二のラベルシステム３００の実施形態において、第二ラベル３１６は、穴３４１を含む。ラベルシステム３００の他の実施形態は、より大きな数の穴を有することができる。本開示の少なくとも一つの実施形態によれば、穴３４１は、第二ラベル３１６およびキャリア３１２を貫通して延びる。本開示の少なくとも一つの実施形態において、穴３４１は、第二ラベル３１６を貫通してのみ延びる。
【０１３１】
図３６は、本開示の少なくとも一つの実施形態によるラベルプリンタ３６００からの第一および第二のラベルシステム３００の分配を示す。印刷機構（図示せず）、分配機構３６０１、およびトレイ３６０５を含むラベルプリンタ３６００が、図３６に示される。ラベルプリンタ３６００は、インクジェット式プリンタ、レーザープリンタ、熱転写式プリンタ、直接感熱式プリンタ、または第一ラベル３１４および第二ラベル３１６に認証を付すことができる別のタイプの印刷装置を含むことができる。本開示の少なくとも一つの実施形態によれば、トレイ３６０５は、水平であるか、実質的に水平である。他の実施形態において、トレイ３６０５は、上向きまたは下向きに傾斜する角度で配置できる。図３６に示すように、本開示の少なくとも一つの実施形態によれば、複数の第一ラベル３１４および第二ラベル３１６は、キャリア３１２上に交互に配置されてラベルプリンタ３６００に供給される。例えば、複数の第一ラベル３１４および第二ラベル３１６は、ロール構成で、またはファンフォールド構成でキャリア３１２に除去可能に接着し、ラベルプリンタ３６００による印刷およびそれからの分配に先行する方法でラベルプリンタ３６００に供給される。図３６に示すように、本開示の少なくとも一つの実施形態によれば、第一ラベル３１４および第二ラベル３１６は、ラベルプリンタ３６００から順に分配される。第一ラベル３１４および第二ラベル３１６は、矢印３６０２の方向にラベルプリンタ３６００の分配機構３６０１により分配され、ラベルプリンタ３６００のトレイ３６０５上で、互いに位置合わせされて静止する。その後、互いに位置合わせされて且つ一緒に接着された第一ラベル３１４および第二ラベル３１６の対は、機械的に（例えば、ラベルアプリケータ装置によって）または手によってトレイ３６０５から取り出して、機械的に（例えば、ラベルアプリケータ装置によって）または手によって表面（例えば、容器６００の表面６０１）に貼り付けることができる。
【０１３２】
本開示の少なくとも一つの実施形態において、ラベルプリンタ３６００のトレイ３６０５の上への第一ラベル３１４の分配の前に、またはそれと共に、認証は、ラベルプリンタ３６００の印刷機構（図示せず）によって第一ラベル３１４の除去可能領域３４４に加えられる。例えば、第一ラベル３１４が、パッキングリストとして役立つことを意図している場合、そのような認証は、第一ラベル３１４が接着される容器、例えば、容器６００の内容を含むことができる。
【０１３３】
第一ラベル３１４の下側１３１４が、ラベルプリンタ３６００のトレイ３６０５に面するように、第一ラベル３１４は、ラベルプリンタ３６００から分配される。第一ラベル３１４の下側１３１４が、ラベルプリンタ３６００のトレイ３６０５と接触するまで、第一ラベル３１４は、矢印３６０３により示される方向に移動する。いかなる圧力も第一ラベル３１４に及ばないので、第一ラベル３１４の下側１３１４上の接着剤３１３は、第一ラベル３１４の第一部分１３４０をラベルプリンタ３６００のトレイ３６０５に接着させない。少なくとも一つの実施形態において、トレイ３６０５は、トレイ３６０５に対する接着剤３１３の接着性を阻止する非粘着性表面を含む。第一ラベル３１４の第二部分１３４４も、ラベルプリンタ３６００のトレイ３６０５と隣接しているが、第一ラベル３１４の第二部分１３４４が、接着剤を含まないので、第一ラベル３１４の第二部分１３４４も、ラベルプリンタ３６００のトレイ３６０５に接着しない。
【０１３４】
本開示の少なくとも一つの実施形態において、第二ラベル３１６は、ラベルプリンタ３６００から分配される。第二ラベル３１６は、第一ラベル３１４の上部に置かれ、それに対して位置合わせされる。少なくとも一つの実施形態において、ラベルプリンタ３６００のトレイ３６０５上への第二ラベル３１６の分配の前に、またはそれと共に、認証は、ラベルプリンタ３６００のプリンタ機構（図示せず）によって、例えば、第二ラベル３１６の置換え可能なセグメント３４６の中で、第二ラベル３１６に加えられる。例えば、第二ラベル３１６が、発送ラベルとして役立つように意図している場合、このような認証は、第一ラベル３１４および第二ラベル３１６が接着する容器、例えば、容器６００が発送されるアドレス、返送アドレス、バーコード、マキシコード、識別番号などを含むことができる。
【０１３５】
第二ラベル３１６の下面１３１６が、第一ラベル３１４の上面に面するように、第二ラベル３１６は、ラベルプリンタ３６００から分配される。第二ラベル３１６の下面１３１６上の接着剤３１３が、第一ラベル３１４と接触するまで、第二ラベル３１６は、矢印５０４により示される方向に移動する。少なくとも一つの実施形態において、前接着性セグメント３３５の接着剤は、第一ラベル３１４の先フレームセグメント３３３と接触する。そのような実施形態において、第二ラベル３１６の前接着性セグメント３３５上の接着剤３１３は、機械的に（例えば、ラベルアプリケータ装置によって）または手によって、一対のラベルを一つのユニットとして処理できる十分な程度まで第二ラベル３１６の第一部分１３４２を第一ラベル３１４のフレーム３４０に付着させる。第二ラベル３１６の第二部分１３４６はまた、第一ラベル３１４の除去可能領域３４４に隣接して位置合わせされているが、第二ラベル３１６の第二部分１３４６は、接着性が低下し、および／または接着剤を完全に含まないことがあり得るので、第二ラベル３１６の第二部分１３４６は、第一ラベル３１４の除去可能領域３４４に接着しない。そのような実施形態において、第二ラベル３１６が、第一ラベル３１４に接着された後、一緒に接着された第一ラベル３１４および第二ラベル３１６は、機械的に（例えば、ラベルアプリケータ装置によって）または手によって、表面、例えば、容器６００の表面６０１に同時に貼り付けられる。
【０１３６】
図３７は、本開示の少なくとも一つの実施形態による第一および第二のラベルシステム４００を示す。キャリア４１２上の第一ラベル４１４および第二ラベル４１６が、図３７に示される。本開示による第一および第二のラベルシステムの少なくとも一つの実施形態において、複数の第一ラベル４１４および第二ラベル４１６は、キャリア４１２上に交互に存在する。本開示による第一および第二のラベルシステム４００の少なくとも一つの実施形態において、各第一ラベル４１４は、パッキングリストラベルを含み、各第二ラベル４１６は、発送ラベルを含む。
【０１３７】
本開示による第一および第二のラベルシステム４００の少なくとも一つの実施形態によれば、第一ラベル４１４は、前縁４１８、後縁４２２、および側縁４２０と４２４に囲まれている。本開示による第一および第二のラベルシステム４００の少なくとも一つの実施形態によれば、第二ラベル４１６は、前縁４２６、後縁４３０、および側縁４２８と４３２に囲まれている。一つ以上の弱線４３８は、第二ラベル４１６の除去可能セグメント４４６の境界を定める。フレーム４４２は、弱線４３８と前縁４２６、後縁４３０、側縁４２８、および側縁４３２との間にある。
【０１３８】
本開示による第一および第二のラベルシステム４００の少なくとも一つの実施形態によれば、前縁４１８、後縁４２２、および側縁４２０と４２４に囲まれる第一ラベル４１４のエリアは、前縁４２６、後縁４３０、および側縁４２８と４３２に囲まれる第二ラベル４１６のエリアより小さい。本開示による第一および第二のラベルシステムの少なくとも一つの実施形態によれば、第一ラベル４１４のエリアは、除去可能セグメント４４６のエリアより大きくない。本開示による第一および第二のラベルシステム４００の少なくとも一つの実施形態によれば、第二ラベル４１６は、前縁４２６と後縁４３０の間の最も近い間隔である長さＬ１を含み、第一ラベル４１４は、前縁４１８と後縁４２２の間の最も近い間隔である長さＬ２を含み、Ｌ１＞Ｌ２である。本開示による第一および第二のラベルシステム４００の少なくとも一つの実施形態によれば、第二ラベル４１６は、第一側縁４２８と第二側縁４３２の間の最も近い間隔である幅Ｗ１を含み、第一ラベル４１４は、第一側縁４２０と第二側縁４２４の間の最も近い間隔である幅Ｗ２を含み、Ｗ１＞Ｗ２である。本開示による第一および第二のラベルシステム４００の少なくとも一つの実施形態によれば、第二ラベル４１６は、弱線４３８が平行するセグメントの間の最も近い間隔である間隔Ｄ１を含み、Ｄ１＞Ｗ２である。
【０１３９】
本開示による第一および第二のラベルシステムの少なくとも一つの実施形態によれば、第二ラベル４１６および第一ラベル４１４は、キャリア４１２上に互いに隣接して配置され、キャリア４１２に除去可能に接着し、それによって第二ラベル４１６および第一ラベル４１４が、本願明細書で述べるようにキャリア４１２から順に分配されることが可能になる。キャリア４１２は、少なくとも一つの実施形態において、第一ラベル４１４および第二ラベル４１６の下面に面するキャリア４１２の表面に剥離層４１５を含む。本開示の少なくとも一つの実施形態において、剥離層４１５は、シリコーン剥離層である。本開示によるラベルシステム４００の少なくとも一つの実施形態によれば、以下に説明するように、接着剤４１３は、剥離層４１５と下ラベル４１４の下側、剥離層４１５と上ラベル４１６の下面の間に配置される。本開示の少なくとも一つの実施形態において、接着剤４１３は感圧接着剤である。
【０１４０】
図３８は、本開示による第一および第二のラベルシステムの少なくとも一つの実施形態による第一ラベル４１４の下側および第二ラベル４１６の下面を示し、キャリア４１２は、明確にするために視認できない。前縁４１８、後縁４２２、および側縁４２０と４２４に囲まれる第一ラベル４１４の下側１４１４が、図３８に示される。また、前縁４２６、後縁４３０、および側縁４２８と４３２に囲まれる第二ラベル４１６の下面１４１６が、図３８に示される。
【０１４１】
少なくとも一つの実施形態において、第一ラベル４１４の下側１４１４は、その表面積の全部または実質的に全部または大部分に接着剤４１３を含む。本開示の少なくとも一つの実施形態において、第二ラベル４１６の下面１４１６は、弱線４３８により分離される第一部分１４４２および第二部分１４４６を含む。第一部分１４４２は、フレーム４４２の下面を含む。第二部分１４４６は、除去可能セグメント４４６の下面を含む。少なくとも一つの実施形態において、第一部分１４４２は、その表面積の全部または実質的に全部または大部分に接着剤４１３を含む。少なくとも一つの実施形態において、第二部分１４４６は、接着剤を含まないか、実質的に含まない。図３８に示されるラベルシステム４００の実施形態において、第二部分１４４６は、前縁４２６の近くに接着剤４１３のスポット１４１３を含む。
【０１４２】
図３９は、図３７における線ＸＸＸＩＸ−ＸＸＸＩＸに沿った本開示の少なくとも一つの実施形態による第一および第二のラベルシステムの断面図を示す。第一および第二のラベルシステム４００は、明確にするために半分解状態で図３９に示される。キャリア４１２、接着剤４１３、前縁４１８と後縁４２２を含む第一ラベル４１４、剥離層４１５、および前縁４２６と後縁４３０を含む第二ラベル４１６が、図３９に示される。
【０１４３】
図４０は、上述のように第一ラベル４１４および第二ラベル４１６を含む本開示の少なくとも一つの実施形態による第一および第二のラベルシステム４００を示す。図４１は、第一ラベル４１４の下側および第二ラベル４１６の下面を示し、キャリア４１２は、明確にするために視認できない。図４０〜４１に示される第一および第二のラベルシステム４００の実施形態において、第二ラベル４１６は穴４３９を含む。ラベルシステム４００の他の実施形態は、より大きな数の穴を有することがあり得る。本開示の少なくとも一つの実施形態によれば、穴４３９は、除去可能セグメント４４６およびキャリア４１２を貫通して延びる。本開示の少なくとも一つの実施形態において、穴４３９は、除去可能セグメント４４６を貫通してのみ延びる。
【０１４４】
図４２は、本開示の少なくとも一つの実施形態による第一および第二のラベルシステム５００を示す。キャリア５１２上に第一ラベル５１４および第二ラベル５１６が、図４２に示される。本開示による第一および第二のラベルシステムの少なくとも一つの実施形態において、複数の第一ラベル５１４および第二ラベル５１６は、キャリア５１２上に交互に存在する。本開示による第一および第二のラベルシステム５００の少なくとも一つの実施形態において、各第一ラベル５１４は、パッキングリストラベルを含み、各第二ラベル５１６は、発送ラベルを含む。
【０１４５】
本開示による第一および第二のラベルシステムの少なくとも一つの実施形態によれば、第一ラベル５１４は、前縁５１８、後縁５２２、および側縁５２０と５２４に囲まれている。一つ以上の弱線５３６は、第一ラベル５１４の除去可能領域５４４の境界を定める。第一ラベル５１４がパッキングリストラベルを含む本開示の少なくとも一つの実施形態において、除去可能領域５４４は、除去可能パッキングリストを含む。フレーム５４０は、弱線５３６と前縁５１８、側縁５２０、および側縁５２４との間にある。フレーム５４０は、後フレームセグメント５３３を含む。
【０１４６】
本開示による第一および第二のラベルシステムの少なくとも一つの実施形態によれば、第二ラベル５１６は、前縁５２６、後縁５３０、および側縁５２８と５３２に囲まれている。第二ラベル５１６は、平行する弱線５４３および５４７により構成される開封帯５３９を含む。弱線５３８は、置換え可能なセグメント５４６の境界を定める。本開示による第一および第二のラベルシステムの少なくとも一つの実施形態によれば、前縁５１８、後縁５２２、および側縁５２０と５２４に囲まれる第一ラベル５１４のエリアは、前縁５２６、後縁５３０、および側縁５２８と５３２に囲まれる第二ラベル５１６のエリアより小さい。
【０１４７】
本開示による第一および第二のラベルシステム５００の少なくとも一つの実施形態によれば、第一ラベル５１４および第二ラベル５１６は、キャリア５１２上で互いに隣接して配置され、キャリア５１２に除去可能に接着し、それによって本願明細書で述べるように第一ラベル５１４および第二ラベル５１６がキャリア５１２から順に分配されることを可能にする。キャリア５１２は、少なくとも一つの実施形態において、第一ラベル５１４および第二ラベル５１６に面するキャリア５１２の表面に剥離層５１５を含む。本開示の少なくとも一つの実施形態において、剥離層５１５は、シリコーン剥離層である。本開示によるラベルシステム５００の少なくとも一つの実施形態によれば、以下に説明するように、接着剤５１３は、剥離層５１５と下ラベル５１４の下側、剥離層５１５と上ラベル５１６の下面の間に配置される。本開示の少なくとも一つの実施形態において、接着剤５１３は、感圧接着剤である。
【０１４８】
図４３は、本開示による第一および第二のラベルシステムの少なくとも一つの実施形態による第一ラベル５１４の下側および第二ラベル５１６の下面を示し、キャリア５１２は、明確にするために視認できない。前縁５１８、後縁５２２、および側縁５２０と５２４に囲まれる第一ラベル５１４の下側１５１４が、図４３に示される。また、前縁５２６、後縁５３０、および側縁５２８と５３２に囲まれる第二ラベル５１６の下面１５１６が、図４３に示される。
【０１４９】
少なくとも一つの実施形態において、第一ラベル５１４の下側１５１４は、弱線５３６により分離される第一部分１５４０および第二部分１５４４を含む。第一部分１５４０は、フレーム５４０の下側を含む。第二部分１５４４は、除去可能領域５４４の下側を含む。少なくとも一つの実施形態において、第一部分１５４０は、その表面積の全部または実質的に全部または大部分に接着剤５１３を含む。少なくとも一つの実施形態において、第二部分１５４４は、接着剤を含まないか、実質的に含まない。
【０１５０】
本開示の少なくとも一つの実施形態において、第二ラベル５１６の下面１５１６は、第一部分１５４２および第二部分１５４６を含む。少なくとも一つの実施形態において、第一部分１５４２は、その表面積の全部または実質的に全部または大部分に接着剤５１３を含む。第一部分１５４２は、後接着性セグメント５３５を含む。少なくとも一つの実施形態において、第二部分１５４６は、開封帯５３９の下面のように、接着剤を含まないか、実質的に含まない。
【０１５１】
図４４は、図４２における線ＬＸＩＶ−ＬＸＩＶに沿った本開示の少なくとも一つの実施形態による第一および第二のラベルシステムの断面図を示す。第一および第二のラベルシステムは、明確にするために半分解状態で図４４に示される。キャリア５１２、接着剤５１３、前縁５１８と後縁５２２を含む第一ラベル５１４、剥離層５１５、および前縁５２６と後縁５３０を含む第二ラベル５１６が、図４４に示される。
【０１５２】
図４５は、先に述べたように第一ラベル５１４および第二ラベル５１６を含む本開示の少なくとも一つの実施形態による第一および第二のラベルシステム５００を示す。図４６は、第一ラベル５１４の下側および第二ラベル５１６の下面を示し、キャリア５１２は、明確にするために視認できない。図４５〜４６に示される第一および第二のラベルシステム５００の実施形態において、第二ラベル５１６は、穴５４１を含む。ラベルシステム５００の他の実施形態は、より大きな数の穴を有することがあり得る。本開示の少なくとも一つの実施形態によれば、穴５４１は、第二ラベル５１６およびキャリア５１２を貫通して延びる。本開示の少なくとも一つの実施形態において、穴５４１は、第二ラベル５１６を貫通してのみ延びる。
【０１５３】
図４７は、本開示の少なくとも一つの実施形態によるラベルプリンタ４７００からの第一および第二のラベルシステム５００の分配を示す。印刷機構（図示せず）、分配機構４７０１、およびトレイ５６０５を含むラベルプリンタ４７００が、図４７に示される。ラベルプリンタ４７００は、インクジェット式プリンタ、レーザープリンタ、熱転写式プリンタ、直接感熱式プリンタ、または第一ラベル５１４および第二ラベル５１６に認証を付すことができる別のタイプの印刷装置を含むことができる。本開示の少なくとも一つの実施形態によれば、トレイ５６０５は、水平であるか、実質的に水平である。他の実施形態において、トレイ５６０５は、上向きまたは下向きに傾斜する角度で配置できる。図４７に示すように、本開示の少なくとも一つの実施形態によれば、複数の第一ラベル５１４および第二ラベル５１６は、キャリア５１２上に交互に配置されてラベルプリンタ４７００に供給される。例えば、複数の第一ラベル５１４および第二ラベル５１６は、ロール構成で、またはファンフォールド構成でキャリア５１２に除去可能に接着し、ラベルプリンタ４７００による印刷およびそれからの分配に先行する方法でラベルプリンタ４７００に供給される。図４７に示すように、本開示の少なくとも一つの実施形態によれば、第一ラベル５１４および第二ラベル５１６は、ラベルプリンタ４７００から順に分配される。第一ラベル５１４および第二ラベル５１６は、矢印４７０２の方向にラベルプリンタ４７００の分配機構４７０１により分配され、ラベルプリンタ４７００のトレイ５６０５上で、互いに位置合わせされて静止する。その後、互いに位置合わせされて且つ一緒に接着された第一ラベル５１４および第二ラベル５１６の対は、機械的に（例えば、ラベルアプリケータ装置によって）または手によってトレイ５６０５から取り出して、機械的に（例えば、ラベルアプリケータ装置によって）または手によって表面（例えば、容器６００の表面６０１）に貼り付けることができる。
【０１５４】
本開示の少なくとも一つの実施形態において、ラベルプリンタ４７００のトレイ５６０５の上への第一ラベル５１４の分配の前に、またはそれと共に、認証は、ラベルプリンタ４７００の印刷機構（図示せず）によって、第一ラベル５１４の除去可能領域５４４に加えられる。例えば、第一ラベル５１４が、パッキングリストとして役立つことを意図している場合、このような認証は、第一ラベル５１４が接着される容器、例えば、容器６００の内容を含むことができる。
【０１５５】
第一ラベル５１４の下側１５１４が、ラベルプリンタ４７００のトレイ５６０５に面するように、第一ラベル５１４は、ラベルプリンタ４７００から分配される。第一ラベル５１４の下側１５１４が、ラベルプリンタ４７００のトレイ５６０５と接触するまで、第一ラベル５１４は、矢印４７０３により示される方向に移動する。いかなる圧力も、第一ラベル５１４に及ばないので、第一ラベル５１４の下側１５１４上の接着剤５１３は、第一ラベル５１４の第一部分１５４０をラベルプリンタ４７００のトレイ５６０５に接着させない。少なくとも一つの実施形態において、トレイ５６０５は、トレイ５６０５に対する接着剤５１３の接着性を阻止する非粘着性表面を含む。第一ラベル５１４の第二部分１５４４も、ラベルプリンタ４７００のトレイ５６０５と隣接しているが、第一ラベル５１４の第二部分１５４４が、接着剤を含まないので、第一ラベル５１４の第二部分１５４４も、ラベルプリンタ４７００のトレイ５６０５に接着しない。
【０１５６】
本開示の少なくとも一つの実施形態において、第二ラベル５１６は、ラベルプリンタ４７００から分配される。第二ラベル５１６は、第一ラベル５１４の上部に置かれ、それに対して位置合わせされる。少なくとも一つの実施形態において、ラベルプリンタ４７００のトレイ５６０５上への第二ラベル５１６の分配の前に、またはそれと共に、認証は、ラベルプリンタ４７００のプリンタ機構（図示せず）によって、例えば、第二ラベル５１６の置換え可能なセグメント５４６の中で、第二ラベル５１６に加えられる。例えば、第二ラベル５１６が、発送ラベルとして役立つように意図している場合、そのような認証は、第一ラベル５１４および第二ラベル５１６が接着する容器、例えば、容器６００が発送されるアドレス、返送アドレス、バーコード、マキシコード、識別番号などを含むことができる。
【０１５７】
第二ラベル５１６の下面１５１６が、第一ラベル５１４の下面に面するように、第二ラベル５１６は、ラベルプリンタ４７００から分配される。第二ラベル５１６の下面１５１６の接着剤５１３が、第一ラベル５１４と接触するまで、第二ラベル５１６は、矢印４７０２により示される方向に移動する。少なくとも一つの実施形態において、後接着性セグメント５３５上の接着剤は、第一ラベル５１４の後フレームセグメント５３３と接触する。そのような実施形態において、第二ラベル５１６の後接着性セグメント５３５上の接着剤５１３は、機械的に（例えば、ラベルアプリケータ装置によって）または手によって一対のラベルを一つのユニットとして処理できる十分な程度まで第二ラベル５１６の第一部分１５４２を第一ラベル５１４のフレーム５４０に接着する。第二ラベル５１６の第二部分１５４６はまた、第一ラベル５１４の除去可能領域５４４に隣接して位置合わせされるが、第二ラベル５１６の第二部分１５４６は、接着性が低下し、および／または接着剤を完全に含まないことがあり得るので、第二ラベル５１６の第二部分１５４６は、第一ラベル５１４の除去可能領域５４４に接着しない。そのような実施形態において、第二ラベル５１６が、第一ラベル５１４に接着された後、一緒に接着された第一ラベル５１４および第二ラベル５１６は、機械的に（例えば、ラベルアプリケータ装置によって）または手によって表面、例えば、容器６００の表面６０１に同時に貼り付けられる。
【０１５８】
本開示は、好ましい設計を有するように記載されているが、本開示による機器と方法は、本開示の範囲内で本開示の精神に従って改変することができる。したがって、本願は、任意の改良、使用あるいは一般原則を使用した本開示の適用を含むよう意図されている。例えば、ここで開示された任意の方法と添付の請求項は、一連の可能な実行ステップの１つを意味する。特定の事項において一つまたは複数の開示された方法の複数のステップは結合することができる、または同じ結果を達成するために別の一連のステップを採用することができる、と実施者は判断することもできる。このような実行方法はそれぞれ、ここに開示された本願の開示と添付の請求項の範囲内にある。さらに本願は、本開示が関係する技術における周知のまたは慣習的な慣行の本開示からの発展も網羅するよう意図されている。
【図１】
2020537764.tif 000003
【図２】
2020537764.tif 000004
【図３Ａ】
2020537764.tif 000005
【図３Ｂ】
2020537764.tif 000006
【図４Ａ】
2020537764.tif 000007
【図４Ｂ】
2020537764.tif 000008
【図５】
2020537764.tif 000009
【図６】
2020537764.tif 000010
【図７】
2020537764.tif 000011
【図８Ａ】
2020537764.tif 000012
【図８Ｂ】
2020537764.tif 000013
【図９Ａ】
2020537764.tif 000014
【図９Ｂ】
2020537764.tif 000015
【図１０Ａ】
2020537764.tif 000016
【図１０Ｂ】
2020537764.tif 000017
【図１１Ａ】
2020537764.tif 000018
【図１１Ｂ】
2020537764.tif 000019
【図１２Ａ】
2020537764.tif 000020
【図１２Ｂ】
2020537764.tif 000021
【図１３】
2020537764.tif 000022
【図１４】
2020537764.tif 000023
【図１５】
2020537764.tif 000024
【図１６Ａ】
2020537764.tif 000025
【図１６Ｂ】
2020537764.tif 000026
【図１７】
2020537764.tif 000027
【図１８】
2020537764.tif 000028
【図１９Ａ】
2020537764.tif 000029
【図１９Ｂ】
2020537764.tif 000030
【図２０】
2020537764.tif 000031
【図２１】
2020537764.tif 000032
【図２２Ａ】
2020537764.tif 000033
【図２２Ｂ】
2020537764.tif 000034
【図２３】
2020537764.tif 000035
【図２４】
2020537764.tif 000036
【図２５Ａ】
2020537764.tif 000037
【図２５Ｂ】
2020537764.tif 000038
【図２６】
2020537764.tif 000039
【図２７】
2020537764.tif 000040
【図２８】
2020537764.tif 000041
【図２９】
2020537764.tif 000042
【図３０】
2020537764.tif 000043
【図３１】
2020537764.tif 000044
【図３２】
2020537764.tif 000045
【図３３】
2020537764.tif 000046
【図３４】
2020537764.tif 000047
【図３５】
2020537764.tif 000048
【図３６】
2020537764.tif 000049
【図３７】
2020537764.tif 000050
【図３８】
2020537764.tif 000051
【図３９】
2020537764.tif 000052
【図４０】
2020537764.tif 000053
【図４１】
2020537764.tif 000054
【図４２】
2020537764.tif 000055
【図４３】
2020537764.tif 000056
【図４４】
2020537764.tif 000057
【図４５】
2020537764.tif 000058
【図４６】
2020537764.tif 000059
【図４７】
2020537764.tif 000060
【国際調査報告】
2020537764.tif 000061